(57)【要約】      （修正有）【課題】システムのリソース利用を最適化し、処理の複雑さを低減し、電力消費を低減することができるカバレッジ拡張技術を提供する。【解決手段】ＵＥの特徴パラメータを決定するステップと、ＵＥの特徴パラメータと予め設定された対応関係とに従って、第１の信号の伝送に用いられるカバレッジ拡張技術を決定し、且つ／又は、ＵＥが送信をサポートする第２の信号を決定し、且つ／又は、ＵＥがサポートする第３の信号の機能を決定するステップとを含む。【選択図】図５
2018078640.tif 000002
【特許請求の範囲】
【請求項１】
装置の特徴パラメータを決定するように構成される第１の決定ユニットであって、前記装置の前記特徴パラメータは、拡張レベル、拡張レベルインデックス、カバレッジ拡張範囲のインデックス、及び参照信号受信電力範囲のインデックスのうち少なくとも１つを含む、第１の決定ユニットと、
第１の処理ユニットと、
を備える装置であって、
前記第１の処理ユニットは、前記特徴パラメータと送信がサポートされる第１の信号との予め設定された対応関係に従って、前記装置の前記特徴パラメータが対応する第１の信号を決定するように構成され、
前記特徴パラメータと送信がサポートされる第１の信号との前記予め設定された対応関係は、前記特徴パラメータが第１の特徴パラメータセットに属するとき、前記装置は信号集合１のうちの第１の信号の送信をサポートし、前記特徴パラメータが第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含み、
且つ／又は、
前記第１の処理ユニットは、前記特徴パラメータと第２の信号のサポートされる機能との予め設定された対応関係に従って、前記装置の前記特徴パラメータが対応する、前記第２の信号のサポートされる機能を決定するように構成される、
装置。
【請求項２】
前記第１の決定ユニットは、
前記装置の前記特徴パラメータを示す受信されたシグナリングに従って、前記装置の前記特徴パラメータを決定するように構成され、又は、ダウンリンク信号を正確に受信できるか否かに従って、前記装置の前記特徴パラメータを決定するように構成され、又は、受信されたダウンリンク信号を測定することにより、前記装置の前記特徴パラメータを決定するように構成され、又は、前記装置の前記特徴パラメータを自律的に決定するように構成される、
請求項１に記載の装置。
【請求項３】
前記予め設定された対応関係は、予め設定された機能関係、予め設定された表関係又は予め設定された規定関係であり、前記予め設定された対応関係は、基地局によりシグナリングを用いて予め構成されるか、又は、システムによって予め設定される、
請求項１又は２に記載の装置。
【請求項４】
特徴パラメータと前記第２の信号のサポートされる機能との前記予め設定された対応関係は、前記特徴パラメータが前記第１の特徴パラメータセットに属するとき、前記装置は、前記第２の信号の第１の機能集合のうちの機能をサポートし、前記特徴パラメータが前記第２の特徴パラメータセットに属するとき、前記装置は、前記第２の信号の第２の機能集合のうちの機能を使用することをサポートすることであり、前記第１の機能集合のうちの前記機能と前記第２の機能集合のうちの前記機能とは完全に同じではない、
請求項１乃至３のいずれか一項に記載の装置。
【請求項５】
前記第１の信号と前記第２の信号は、同じであるか又は異なる、
請求項１乃至４のいずれか一項に記載の装置。
【請求項６】
前記第１の信号又は前記第２の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項１乃至５のいずれか一項に記載の装置。
【請求項７】
前記特徴パラメータと前記ＰＵＣＣＨのサポートされる機能との前記予め設定された対応関係は、前記特徴パラメータが前記第１の特徴パラメータセットに属するとき、前記装置は、前記ＰＵＣＣＨの第１の機能集合のうちの機能をサポートし、前記特徴パラメータが前記第２の特徴パラメータセットに属するとき、前記装置は、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項１乃至６のいずれか一項に記載の装置。
【請求項８】
ユーザーイクイップメント（ＵＥ）の特徴パラメータを決定するように構成される第２の決定ユニットであって、前記ＵＥの前記特徴パラメータは、拡張レベル、拡張レベルインデックス、カバレッジ拡張範囲のインデックス、及び参照信号受信電力範囲のインデックスのうち少なくとも１つを含む、第２の決定ユニットと、
第２の処理ユニットと、
を備える基地局であって、
前記第２の処理ユニットは、前記特徴パラメータと送信がサポートされる第１の信号との予め設定された対応関係に従って、前記ＵＥの前記特徴パラメータが対応する第１の信号を決定するように構成され、
前記特徴パラメータと送信がサポートされる第１の信号との前記予め設定された対応関係は、前記特徴パラメータが第１の特徴パラメータセットに属するとき、前記基地局は信号集合１のうちの第１の信号の送信をサポートし、前記特徴パラメータが第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含み、
且つ／又は、
前記第２の処理ユニットは、前記特徴パラメータと第２の信号のサポートされる機能との予め設定された対応関係に従って、前記ＵＥの前記特徴パラメータが対応する、前記第２の信号のサポートされる機能を決定するように構成される、
基地局。
【請求項９】
前記第２の決定ユニットは、
前記ＵＥの前記特徴パラメータを示す受信されたシグナリングに従って、前記ＵＥの前記特徴パラメータを決定するように構成され、又は、アップリンク信号を正確に受信できるか否かに従って、前記ＵＥの前記特徴パラメータを決定するように構成され、又は、受信されたアップリンク信号を測定することにより、前記ＵＥの前記特徴パラメータを決定するように構成され、又は、前記ＵＥの前記特徴パラメータを自律的に決定することである、
請求項８に記載の基地局。
【請求項１０】
前記予め設定された対応関係は、予め設定された機能関係、予め設定された表関係又は予め設定された規定関係であり、前記予め設定された対応関係は、前記基地局によりシグナリングを用いて予め構成されるか、又は、システムによって予め設定される、
請求項８又は９に記載の基地局。
【請求項１１】
特徴パラメータと前記第２の信号のサポートされる機能との前記予め設定された対応関係は、前記特徴パラメータが前記第１の特徴パラメータセットに属するとき、前記基地局は、前記第２の信号の第１の機能集合のうちの機能をサポートし、前記特徴パラメータが前記第２の特徴パラメータセットに属するとき、前記基地局は、前記第２の信号の第２の機能集合のうちの機能を使用することをサポートすることであり、前記第１の機能集合のうちの前記機能と前記第２の機能集合のうちの前記機能とは完全に同じではない、
請求項８乃至１０のいずれか一項に記載の基地局。
【請求項１２】
前記第１の信号と前記第２の信号は、同じであるか又は異なる、
請求項８乃至１１のいずれか一項に記載の基地局。
【請求項１３】
前記第１の信号又は前記第２の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項８乃至１２のいずれか一項に記載の基地局。
【請求項１４】
前記特徴パラメータと前記ＰＵＣＣＨのサポートされる機能との前記予め設定された対応関係は、前記特徴パラメータが前記第１の特徴パラメータセットに属するとき、前記ＵＥは、前記ＰＵＣＣＨの第１の機能集合のうちの機能をサポートし、前記特徴パラメータが前記第２の特徴パラメータセットに属するとき、前記ＵＥは、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項８乃至１３のいずれか一項に記載の基地局。
【請求項１５】
装置が、該装置の特徴パラメータを決定するステップであって、前記装置の前記特徴パラメータは、拡張レベル、拡張レベルインデックス、カバレッジ拡張範囲のインデックス、及び参照信号受信電力範囲のインデックスのうち少なくとも１つを含む、ステップと、
前記装置が、前記特徴パラメータと送信がサポートされる第１の信号との予め設定された対応関係に従って、前記装置の前記特徴パラメータが対応する第１の信号を決定するステップであって、
前記特徴パラメータと送信がサポートされる第１の信号との前記予め設定された対応関係は、前記特徴パラメータが第１の特徴パラメータセットに属するとき、前記装置は信号集合１のうちの第１の信号の送信をサポートし、前記特徴パラメータが第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含む、ステップ、
及び／又は、
前記装置が、前記特徴パラメータと第２の信号のサポートされる機能との予め設定された対応関係に従って、前記装置の前記特徴パラメータが対応する、前記第２の信号のサポートされる機能を決定するステップと、
を含む信号伝送方法。
【請求項１６】
前記装置が前記装置の前記特徴パラメータを決定する方法は、
前記装置が、前記装置の前記特徴パラメータを示す受信されたシグナリングに従って、前記装置の前記特徴パラメータを決定すること、又は、前記装置が、ダウンリンク信号を正確に受信できるか否かに従って、前記装置の前記特徴パラメータを決定すること、又は、前記装置が、受信されたダウンリンク信号を測定することにより、前記装置の前記特徴パラメータを決定すること、又は、前記装置が、前記装置の前記特徴パラメータを自律的に決定することである、
請求項１５に記載の信号伝送方法。
【請求項１７】
前記予め設定された対応関係は、予め設定された機能関係、予め設定された表関係又は予め設定された規定関係であり、前記予め設定された対応関係は、基地局によりシグナリングを用いて予め構成されるか、又は、システムによって予め設定される、
請求項１５又は１６に記載の信号伝送方法。
【請求項１８】
特徴パラメータと送信がサポートされる第１の信号との前記予め設定された対応関係は、前記特徴パラメータが前記第１の特徴パラメータセットに属するとき、前記装置は信号集合１のうちの第１の信号の送信をサポートし、前記特徴パラメータが前記第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
特徴パラメータと前記第２の信号のサポートされる機能との前記予め設定された対応関係は、前記特徴パラメータが前記第１の特徴パラメータセットに属するとき、前記装置は、前記第２の信号の第１の機能集合のうちの機能をサポートし、前記特徴パラメータが前記第２の特徴パラメータセットに属するとき、前記装置は、前記第２の信号の第２の機能集合のうちの機能を使用することをサポートすることであり、前記第１の機能集合のうちの前記機能と前記第２の機能集合のうちの前記機能とは完全に同じではない、
請求項１５乃至１７のいずれか一項に記載の信号伝送方法。
【請求項１９】
前記第１の信号と前記第２の信号は、同じであるか又は異なる、
請求項１５乃至１８のいずれか一項に記載の信号伝送方法。
【請求項２０】
前記第１の信号又は前記第２の信号は、
物理ダウンリンク制御チャネル、拡張物理ダウンリンク制御チャネル、物理ランダムアクセスチャネル、物理制御フォーマット指示チャネル物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項１５乃至１９のいずれか一項に記載の信号伝送方法。
【請求項２１】
前記特徴パラメータと前記ＰＵＣＣＨのサポートされる機能との前記予め設定された対応関係は、前記特徴パラメータが前記第１の特徴パラメータセットに属するとき、前記装置は、前記ＰＵＣＣＨの第１の機能集合のうちの機能をサポートし、前記特徴パラメータが前記第２の特徴パラメータセットに属するとき、前記装置は、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項１５乃至２０のいずれか一項に記載の信号伝送方法。
【請求項２２】
基地局が、ユーザーイクイップメント（ＵＥ）の特徴パラメータを決定するステップであって、前記ＵＥの前記特徴パラメータは、拡張レベル、拡張レベルインデックス、カバレッジ拡張範囲のインデックス、及び参照信号受信電力範囲のインデックスのうち少なくとも１つを含む、ステップと、
前記基地局が、前記特徴パラメータと送信がサポートされる第１の信号との予め設定された対応関係に従って、前記ＵＥの前記特徴パラメータが対応する第１の信号を決定するステップであって、
前記特徴パラメータと送信がサポートされる第１の信号との前記予め設定された対応関係は、前記特徴パラメータが第１の特徴パラメータセットに属するとき、前記基地局は信号集合１のうちの第１の信号の送信をサポートし、前記特徴パラメータが第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含む、ステップ、
且つ／又は、
前記基地局が、前記特徴パラメータと第２の信号のサポートされる機能との予め設定された対応関係に従って、前記ＵＥの前記特徴パラメータが対応する、前記第２の信号のサポートされる機能を決定するステップと、
を含む信号伝送方法。
【請求項２３】
前記基地局が前記ＵＥの前記特徴パラメータを決定する方法は、
前記基地局が、前記ＵＥの前記特徴パラメータを示す受信されたシグナリングに従って、前記ＵＥの前記特徴パラメータを決定すること、又は、前記基地局が、アップリンク信号を正確に受信できるか否かに従って、前記ＵＥの前記特徴パラメータを決定すること、又は、前記基地局が、受信されたアップリンク信号を測定することにより、前記ＵＥの前記特徴パラメータを決定すること、又は、前記基地局が、前記ＵＥの前記特徴パラメータを自律的に決定することである、
請求項２２に記載の信号伝送方法。
【請求項２４】
前記予め設定された対応関係は、予め設定された機能関係、予め設定された表関係又は予め設定された規定関係であり、前記予め設定された対応関係は、前記基地局によりシグナリングを用いて予め構成されるか、又は、システムによって予め設定される、
請求項２２又は２３に記載の信号伝送方法。
【請求項２５】
特徴パラメータと送信がサポートされる第１の信号との前記予め設定された対応関係は、前記特徴パラメータが前記第１の特徴パラメータセットに属するとき、前記基地局は信号集合１のうちの第１の信号の送信をサポートし、前記特徴パラメータが前記第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
特徴パラメータと前記第２の信号のサポートされる機能との前記予め設定された対応関係は、前記特徴パラメータが前記第１の特徴パラメータセットに属するとき、前記基地局は、前記第２の信号の第１の機能集合のうちの機能をサポートし、前記特徴パラメータが前記第２の特徴パラメータセットに属するとき、前記基地局は、前記第２の信号の第２の機能集合のうちの機能を使用することをサポートすることであり、前記第１の機能集合のうちの前記機能と前記第２の機能集合のうちの前記機能とは完全に同じではない、
請求項２２乃至２４のいずれか一項に記載の信号伝送方法。
【請求項２６】
前記第１の信号と前記第２の信号は、同じであるか又は異なる、
請求項２２乃至２５のいずれか一項に記載の信号伝送方法。
【請求項２７】
前記第１の信号又は前記第２の信号は、
物理ダウンリンク制御チャネル、拡張物理ダウンリンク制御チャネル、物理ランダムアクセスチャネル、物理制御フォーマット指示チャネル物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つである、
請求項２２乃至２６のいずれか一項に記載の信号伝送方法。
【請求項２８】
前記特徴パラメータと前記ＰＵＣＣＨのサポートされる機能との前記予め設定された対応関係は、前記特徴パラメータが前記第１の特徴パラメータセットに属するとき、前記ＵＥは、前記ＰＵＣＣＨの第１の機能集合のうちの機能をサポートし、前記特徴パラメータが前記第２の特徴パラメータセットに属するとき、前記ＵＥは、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項２２乃至２７のいずれか一項に記載の信号伝送方法。
【請求項２９】
プログラムが記録されたコンピューター可読記憶媒体であって、前記プログラムは、請求項１５乃至２８のいずれか一項に記載の方法をコンピューターに実行させる、コンピューター可読記憶媒体。
【請求項３０】
通信システムであって、
互いに通信する装置と基地局を備え、
前記装置は、請求項１５乃至２１のいずれか一項に記載の方法を実行し、前記基地局は、請求項２２乃至２８のいずれか一項に記載の方法を実行する、
通信システム。
【発明の詳細な説明】
【技術分野】
【０００１】
本発明の実施形態は通信技術分野に関し、特に、信号伝送方法、ユーザーイクイップメント及び基地局に関する。
【背景技術】
【０００２】
ロング・ターム・エボリューション（Long  Term  Evolution，LTE）又はLTE  Advanced（Long  Term  Evolution  Advanced，LTE-A）システムでは、一般に、異なる時間ではユーザ装置（User  Equipment，ＵＥ）の特徴パラメータの値が異なる。ここで、ＵＥの特徴パラメータとは、ＵＥと基地局との間の通信の品質を測定するのに用いられる値若しくは情報、及び／又は、ＵＥと基地局との間のチャネルの品質を測定するのに用いられる値若しくは情報、及び／又は、ＵＥのサービス特徴を反映するのに用いられる情報を指す。
【０００３】
例えば、ＵＥが特定の時間に劣悪なチャネル条件の下で基地局と通信を行う場合、ＵＥと基地局との間の信号伝送により大きなカバレッジ拡張が必要とされる。この場合、サービス伝送の信頼性を向上させるために、より多くのリソースオーバーヘッドが利用され得る。チャネル状態が良好な場合、ＵＥと基地局との間の信号伝送に必要なカバレッジ拡張は、より少ない。この場合、より少ないリソースオーバーヘッドを用いて、信頼性の高いサービス伝送を行うことができる。しかしながら、従来技術では、例えば、ＵＥと基地局との間の信号伝送のためにカバレッジ拡張が行われる場合、現在のカバレッジ拡張の値が考慮されていない。代わりに、均一なカバレッジ拡張技術がカバレッジ拡張を実行するために使用される。また、カバレッジ拡張時、ＵＥ又は基地局は、同じ信号の伝送をサポートし、信号の同じ機能を伝送をサポートし得る。
【０００４】
すなわち、従来技術では、ＵＥの特徴パラメータが変化すると、ＵＥ又は基地局は、均一なカバレッジ拡張技術を用いてカバレッジ拡張を実行し、同じ信号の伝送をサポートし、信号の同じ機能をサポートする。これにより、システムリソースのオーバーヘッドが大量に生じ、リソース利用の低下をもたらし、ＵＥ又は基地局によるサービス処理の複雑性が増大する。したがって、上述の問題を解決するために、新しい方法を提供することが必要である。
【発明の概要】
【０００５】
本発明の実施形態は、システムのリソース利用を最適化し、処理の複雑さを低減し、電力消費を低減することができる信号伝送方法、ユーザーイクイップメント及び基地局を提供する。
【０００６】
本発明の実施形態の第１の態様は、ユーザーイクイップメント（ＵＥ）を提供する。本ＵＥは、
当該ＵＥの特徴パラメータを決定するように構成される第１の決定ユニットであって、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す、第１の決定ユニットと、
ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定するように構成される第１の処理ユニットと、
を備える。
【０００７】
本発明の実施形態の第１の態様に関して、本発明の実施形態の第１の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【０００８】
本発明実施形態の第１の態様又は第１の態様の第１の実施方式に関して、本発明の実施形態の第１の態様の第２の実施方式では、第１の決定ユニットは、
ＵＥの特徴パラメータを示す受信されたシグナリングに従って、ＵＥの特徴パラメータを決定するように構成され、又は、ダウンリンク信号を正確に受信できるか否かに従って、ＵＥの特徴パラメータを決定するように構成され、又は、受信されたダウンリンク信号を測定することにより、ＵＥの特徴パラメータを決定するように構成され、又は、ＵＥの特徴パラメータを自律的に決定するように構成される。
【０００９】
本発明の実施形態の第１の態様に関して、本発明の実施形態の第１の態様の第３の実施方式では、第１の処理ユニットは、
特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定するように構成され、且つ／又は、
特徴パラメータと送信がサポートされる第２の信号との予め設定された対応関係に従って、ＵＥの特徴パラメータが対応する第２の信号を決定するように構成され、第２の信号の送信は特徴パラメータによってサポートされ、且つ／又は、
特徴パラメータと第３の信号のサポートされる機能との予め設定された対応関係に従って、ＵＥの特徴パラメータに対応する第３の信号のサポートされる機能を決定するように構成される。
【００１０】
本発明の実施形態の第１の態様の第３の実施方式に関して、本発明の実施形態の第１の態様の第４の実施方式では、予め設定された対応関係は、予め設定された機能関係、予め設定された表関係又は予め設定された規定関係であり、予め設定された対応関係は、基地局によりシグナリングを用いて予め構成されるか、又は、システムによって予め設定される。
【００１１】
本発明の実施形態の第１の態様の第４の実施方式に関して、本発明の実施形態の第１の態様の第５の実施方式では、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであり、第１の機能集合のうちの機能と第２の機能集合のうちの機能とは完全に同じではない。
【００１２】
本発明の実施形態の第１の態様の第４の実施方式に関して、本発明の実施形態の第１の態様の第６の実施方式では、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであり、第１の機能集合のうちの機能と第２の機能集合のうちの機能とは完全に同じではない。
【００１３】
本発明の実施形態の第１の態様の第５の実施方式又は第１の態様の第６の実施方式に関して、本発明の実施形態の第１の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成され、又は、システムによって予め設定される。
【００１４】
本発明の実施形態の第１の態様に関して、本発明の実施形態の第１の態様の第８の実施方式では、第１の信号と第２の信号と第３の信号とは、同じであるか又は異なる。
【００１５】
本発明の実施形態の第１の態様の第８の実施方式に関して、本発明の実施形態の第１の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ
のうち少なくとも１つを含む。
【００１６】
本発明の実施形態の第２の態様は基地局を提供する。本基地局は、
ユーザーイクイップメント（ＵＥ）の特徴パラメータを決定するように構成される第２の決定ユニットであって、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す、第２の決定ユニットと、
ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定するように構成される第２の処理ユニットと、
を備える。
【００１７】
本発明の実施形態の第２の態様に関して、本発明の実施形態の第２の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【００１８】
本発明の実施形態の第２の態様又は第２の態様の第１の実施方式に関して、本発明の実施形態の第２の態様の第２の実施方式では、第２の決定ユニットは、
ＵＥの特徴パラメータを示す受信されたシグナリングに従って、ＵＥの特徴パラメータを決定するように構成され、又は、アップリンク信号を正確に受信できるか否かに従って、ＵＥの特徴パラメータを決定するように構成され、又は、受信されたアップリンク信号を測定することにより、ＵＥの特徴パラメータを決定するように構成され、又は、ＵＥの特徴パラメータを自律的に決定するように構成される。
【００１９】
本発明の実施形態の第２の態様に関して、本発明の実施形態の第２の態様の第３の実施方式では、第２の処理ユニットは、
特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定するように構成され、且つ／又は、
特徴パラメータと送信がサポートされる第２の信号との予め設定された対応関係に従って、ＵＥの特徴パラメータが対応する第２の信号を決定するように構成され、第２の信号の送信は特徴パラメータによってサポートされ、且つ／又は、
特徴パラメータと第３の信号のサポートされる機能との予め設定された対応関係に従って、ＵＥの特徴パラメータに対応する第３の信号のサポートされる機能を決定するように構成される。
【００２０】
本発明の実施形態の第２の態様の第３の実施方式に関して、本発明の実施形態の第２の態様の第４の実施方式では、予め設定された対応関係は、予め設定された機能関係、予め設定された表関係又は予め設定された規定関係である。予め設定された対応関係は、基地局によりシグナリングを用いて予め構成されるか、又は、システムによって予め設定される。
【００２１】
本発明の実施形態の第２の態様第４の実施方式に関して、本発明の実施形態の第２の態様の第５の実施方式では、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであり、第１の機能集合のうちの機能と第２の機能集合のうちの機能とは完全に同じではない。
【００２２】
本発明の実施形態の第２の態様の第４の実施方式に関して、本発明の実施形態の第２の態様の第６の実施方式では、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであり、第１の機能集合のうちの機能と第２の機能集合のうちの機能とは完全に同じではない。
【００２３】
本発明の実施形態の第２の態様の第５の実施方式又は第２の態様の第６の実施方式に関して、本発明の実施形態の第２の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成されるか、又は、システムによって予め設定される。
【００２４】
本発明の実施形態の第２の態様に関して、本発明の実施形態の第２の態様の第８の実施方式では、第１の信号と第２の信号第３の信号とは、同じであるか又は異なる。
【００２５】
本発明の実施形態の第２の態様の第８の実施方式に関して、本発明の実施形態の第２の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ
のうち少なくとも１つを含む。
【００２６】
本発明の実施形態の第３の態様はＵＥを提供する。本ＵＥは、
予め設定された対応関係を記憶するように構成される第１のメモリと、
当該ＵＥの特徴パラメータを決定するように構成され、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指し、且つ、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定するように構成される第１のプロセッサと、
を備える。
【００２７】
本発明の実施形態の第３の態様に関して、本発明の実施形態の第３の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【００２８】
本発明の実施形態の第３の態様又は第３の態様の第１の実施方式に関して、本発明の実施形態の第３の態様の第２の実施方式では、第１のプロセッサは、
ＵＥの特徴パラメータを示す受信されたシグナリングに従って、ＵＥの特徴パラメータを決定するように構成され、又は、ダウンリンク信号を正確に受信できるか否かに従って、ＵＥの特徴パラメータを決定するように構成され、又は、受信されたダウンリンク信号を測定することにより、ＵＥの特徴パラメータを決定するように構成され、又は、ＵＥの特徴パラメータを自律的に決定するように構成される。
【００２９】
本発明の実施形態の第３の態様に関して、本発明の実施形態の第３の態様の第３の実施方式では、第１のプロセッサは、
特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定するように構成され、且つ／又は、
特徴パラメータと送信がサポートされる第２の信号との予め設定された対応関係に従って、ＵＥの特徴パラメータが対応する第２の信号を決定するように構成され、第２の信号の送信は特徴パラメータによってサポートされ、且つ／又は、
特徴パラメータと第３の信号のサポートされる機能との予め設定された対応関係に従って、ＵＥの特徴パラメータに対応する第３の信号のサポートされる機能を決定するように構成される。
【００３０】
本発明の実施形態の第３の態様の第３の実施方式に関して、本発明の実施形態の第３の態様の第４の実施方式では、予め設定された対応関係は、予め設定された機能関係、予め設定された表関係又は予め設定された規定関係である。予め設定された対応関係は、基地局によりシグナリングを用いて予め構成されるか、又は、システムによって予め設定される。
【００３１】
本発明の実施形態の第３の態様の第４の実施方式に関して、本発明の実施形態の第３の態様の第５の実施方式では、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであり、第１の機能集合のうちの機能と第２の機能集合のうちの機能とは完全に同じではない。
【００３２】
本発明の実施形態の第３の態様の第４の実施方式に関して、本発明の実施形態の第３の態様の第６の実施方式では、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであり、第１の機能集合のうちの機能と第２の機能集合のうちの機能とは完全に同じではない。
【００３３】
本発明の実施形態の第３の態様の第５の実施方式又は第３の態様の第６の実施方式に関して、本発明の実施形態の第３の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成されるか、又は、システムによって予め設定される。
【００３４】
本発明の実施形態の第３の態様に関して、本発明の実施形態の第３の態様の第８の実施方式では、第１の信号と第２の信号と第３の信号とは、同じであるか又は異なる。
【００３５】
本発明の実施形態の第３の態様の第８の実施方式に関して、本発明の実施形態の第３の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ
のうち少なくとも１つを含む。
【００３６】
本発明の実施形態の第４の態様は基地局を提供する。本基地局は、
予め設定された対応関係を記憶するように構成される第２のメモリと、
ユーザーイクイップメント（ＵＥ）の特徴パラメータを決定するように構成され、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指し、且つ、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定するように構成される第２のプロセッサと、
を備える。
【００３７】
本発明の実施形態の第４の態様に関して、本発明の実施形態の第４の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【００３８】
本発明の実施形態の第４の態様又は第４の態様の第１の実施方式に関して、本発明の実施形態の第４の態様の第２の実施方式では、第２のプロセッサは、
ＵＥの特徴パラメータを示す受信されたシグナリングに従って、ＵＥの特徴パラメータを決定するように構成され、又は、アップリンク信号を正確に受信できるか否かに従って、ＵＥの特徴パラメータを決定するように構成され、又は、受信されたダウンリンク信号を測定することにより、ＵＥの特徴パラメータを決定するように構成され、又は、ＵＥの特徴パラメータを自律的に決定するように構成される。
【００３９】
本発明の実施形態の第４の態様に関して、本発明の実施形態の第４の態様の第３の実施方式では、第２のプロセッサは、
特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定するように構成され、且つ／又は、
特徴パラメータと送信がサポートされる第２の信号との予め設定された対応関係に従って、ＵＥの特徴パラメータが対応する第２の信号を決定するように構成され、第２の信号の送信は特徴パラメータによってサポートされ、且つ／又は、
特徴パラメータと第３の信号のサポートされる機能との予め設定された対応関係に従って、ＵＥの特徴パラメータに対応する第３の信号のサポートされる機能を決定するように構成される。
【００４０】
本発明の実施形態の第４の態様の第３の実施方式に関して、本発明の実施形態の第４の態様の第４の実施方式では、予め設定された対応関係は、予め設定された機能関係、予め設定された表関係又は予め設定された規定関係である。予め設定された対応関係は、基地局によりシグナリングを用いて予め構成されるか、又は、システムによって予め設定される。
【００４１】
本発明の実施形態の第４の態様の第４の実施方式に関して、本発明の実施形態の第４の態様の第５の実施方式では、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係が、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであり、第１の機能集合のうちの機能と第２の機能集合のうちの機能とは完全に同じではない。
【００４２】
本発明の実施形態の第４の態様の第４の実施方式に関して、本発明の実施形態の第４の態様の第６の実施方式では、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであり、第１の機能集合のうちの機能と第２の機能集合のうちの機能とは完全に同じではない。
【００４３】
本発明の実施形態の第４の態様の第５の実施方式又は第４の態様の第６の実施方式に関して、本発明の実施形態の第４の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成されるか、又は、システムによって予め設定される。
【００４４】
本発明の実施形態の第４の態様に関して、本発明の実施形態の第４の態様の第８の実施方式では、第１の信号と第２の信号と第３の信号とは、同じであるか又は異なる。
【００４５】
本発明の実施形態の第４の態様の第８の実施方式に関して、本発明の実施形態の第４の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【００４６】
本発明の実施形態の第５の態様は信号伝送方法を提供する。本方法は、
ユーザーイクイップメント（ＵＥ）が、該ＵＥの特徴パラメータを決定するステップであって、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す、ステップと、
ＵＥの特徴パラメータと予め設定された対応関係とに従って、ＵＥが、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定するステップと、
を含む。
【００４７】
本発明の実施形態の第５の態様に関して、本発明の実施形態の第５の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【００４８】
本発明の実施形態の第５の態様又は第５の態様の第１の実施方式に関して、本発明の実施形態の第５の態様の第２の実施方式では、ＵＥがＵＥの特徴パラメータを決定する方法は、
ＵＥが、ＵＥの特徴パラメータを示す受信されたシグナリングに従って、ＵＥの特徴パラメータを決定すること、又は、ＵＥが、ダウンリンク信号を正確に受信できるか否かに従って、ＵＥの特徴パラメータを決定すること、ＵＥが、受信されたダウンリンク信号を測定することにより、ＵＥの特徴パラメータを決定すること、又は、ＵＥが、ＵＥの特徴パラメータを自律的に決定することである。
【００４９】
本発明の実施形態の第５の態様に関して、本発明の実施形態の第５の態様の第３の実施方式では、ＵＥがＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定する方法は、
ＵＥが、特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定すること、及び／又は、
ＵＥが、特徴パラメータと送信がサポートされる第２の信号との予め設定された対応関係に従って、ＵＥの特徴パラメータが対応する第２の信号を決定することであって、第２の信号の送信は特徴パラメータによってサポートされること、及び／又は、
ＵＥが、特徴パラメータと第３の信号のサポートされる機能との予め設定された対応関係に従って、ＵＥの特徴パラメータに対応する第３の信号のサポートされる機能を決定することである。
【００５０】
本発明の実施形態の第５の態様の第３の実施方式に関して、本発明の実施形態の第５の態様の第４の実施方式では、予め設定された対応関係は、予め設定された機能関係、予め設定された表関係又は予め設定された規定関係である。予め設定された対応関係は、基地局によりシグナリングを用いて予め構成されるか、又は、システムによって予め設定される。
【００５１】
本発明の実施形態の第５の態様の第４の実施方式に関して、本発明の実施形態の第５の態様の第５の実施方式では、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであり、第１の機能集合のうちの機能と第２の機能集合のうちの機能とは完全に同じではない。
【００５２】
本発明の実施形態の第５の態様の第４の実施方式に関して、本発明の実施形態の第５の態様の第６の実施方式では、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであり、第１の機能集合のうちの機能と第２の機能集合のうちの機能とは完全に同じではない。
【００５３】
本発明の実施形態の第５の態様の第５の実施方式又は第５の態様の第６の実施方式に関して、本発明の実施形態の第５の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成されるか、又は、システムによって予め設定される。
【００５４】
本発明の実施形態の第５の態様に関して、本発明の実施形態の第５の態様の第８の実施方式では、第１の信号と第２の信号と第３の信号とは、同じであるか又は異なる。
【００５５】
本発明の実施形態の第５の態様の第８の実施方式に関して、本発明の実施形態の第５の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のち少なくとも１つを含む。
【００５６】
本発明の実施形態の第６の態様は信号伝送方法を提供する。本方法は、
基地局が、ユーザーイクイップメント（ＵＥ）の特徴パラメータを決定するステップであって、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す、ステップと、
基地局が、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定するステップと、
を含む。
【００５７】
本発明の実施形態の第６の態様に関して、本発明の実施形態の第６の態様の第１の実施方式では、ＵＥの特徴パラメータは、
リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、
のうち少なくとも１つを含む。
【００５８】
本発明の実施形態の第６の態様又は第６の態様の第１の実施方式に関して、本発明の実施形態の第６の態様の第２の実施方式では、基地局がＵＥの特徴パラメータを決定する方法は、
基地局が、ＵＥの特徴パラメータを示す受信されたシグナリングに従って、ＵＥの特徴パラメータを決定すること、又は、基地局が、アップリンク信号を正確に受信できるか否かに従って、ＵＥの特徴パラメータを決定すること、又は、基地局が、受信されたアップリンク信号を測定することにより、ＵＥの特徴パラメータを決定すること、又は、基地局が、ＵＥの特徴パラメータを自律的に決定することである。
【００５９】
本発明の実施形態の第６の態様に関して、本発明の実施形態の第６の態様の第３の実施方式では、基地局がＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定する方法は、
基地局が、特徴パラメータと第１の信号の送信に用いられるカバレッジ拡張技術との予め設定された対応関係に従って、第１の信号を送信するのに用いられ且つＵＥの特徴パラメータに対応するカバレッジ拡張技術を決定すること、及び／又は、
基地局が、特徴パラメータと送信がサポートされる第２の信号との予め設定された対応関係に従って、ＵＥの特徴パラメータが対応する第２の信号を決定することであって、第２の信号の送信は特徴パラメータによってサポートされること、及び／又は、
基地局が、特徴パラメータと第３の信号のサポートされる機能との予め設定された対応関係に従って、ＵＥの特徴パラメータに対応する第３の信号のサポートされる機能を決定することである。
【００６０】
本発明の実施形態の第６の態様の第３の実施方式に関して、本発明の実施形態の第６の態様の第４の実施方式では、予め設定された対応関係は、予め設定された機能関係、予め設定された表関係又は予め設定された規定関係である。予め設定された対応関係は、基地局によりシグナリングを用いて予め構成されるか、又は、システムによって予め設定される。
【００６１】
本発明の実施形態の第６の態様の第４の実施方式に関して、本発明の実施形態の第６の態様の第５の実施方式では、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであり、第１の機能集合のうちの機能と第２の機能集合のうちの機能とは完全に同じではない。
【００６２】
本発明の実施形態の第６の態様の第４の実施方式に関して、本発明の実施形態の第６の態様の第６の実施方式では、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであり、第１のカバレッジ拡張技術と第２のカバレッジ拡張技術は、信号伝送信頼性を改善するための異なる技術であり、
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであり、信号集合１のうちの第２の信号と信号集合２のうちの第２の信号は異なり、
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであり、第１の機能集合のうちの機能と第２の機能集合のうちの機能とは完全に同じではない。
【００６３】
本発明の実施形態の第６の態様の第５の実施方式又は第６の態様の第６の実施方式に関して、本発明の実施形態の第６の態様の第７の実施方式では、特徴パラメータ閾値、信号集合１、信号集合２、第１の機能集合、第２の機能集合、第１の特徴パラメータセット及び第２の特徴パラメータセットのうち１以上は、基地局によりシグナリングを用いて予め構成されるか、又は、システムによって予め設定される。
【００６４】
本発明の実施形態の第６の態様に関して、本発明の実施形態の第６の態様の第８の実施方式では、第１の信号と第２の信号と第３の信号とは、同じであるか又は異なる。
【００６５】
本発明の実施形態の第６の態様の第８の実施方式に関して、本発明の実施形態の第６の態様の第９の実施方式では、第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【００６６】
上述の技術的解決策から、本発明の実施形態には以下の利点があることが分かる。
【００６７】
本発明の実施形態では、ＵＥの決定された特徴パラメータと予め設定された対応関係とに従って、ＵＥは、第１の信号の伝送に用いられるカバレッジ拡張技術を決定し、且つ／又は、伝送がサポートされる第２の信号を決定し、且つ／又は、第３の信号のサポートされる機能を決定することができる。すなわち、ＵＥの現在の特徴パラメータと予め設定された対応関係とに従って、ＵＥは、第１の信号の伝送に用いられるカバレッジ拡張技術を適応的に決定し、且つ／又は、伝送がサポートされる第２の信号を決定し、且つ／又は、第３の信号のサポートされる機能を決定することができ、よって、特徴パラメータの異なる値に適応することができる。結果として、システムのリソース利用を最適化し、処理の複雑さを低減し、電力消費を低減することができる。
【図面の簡単な説明】
【００６８】
本発明の実施形態又は従来技術の技術的解決策をより明確に説明するために、以下、実施形態又は従来技術の説明に必要な添付の図面を簡単に紹介する。当然ながら、添付の図面は、以下の説明において本発明の一部の実施形態を示すに過ぎない。当業者であれば、これらの添付の図面から創意工夫なく他の図面を更に導出できるであろう。
【図１】本発明に係るＵＥの実施形態の概略図である。
【図２】本発明に係る基地局の実施形態の概略図である。
【図３】本発明に係るＵＥの別の実施形態の概略図である。
【図４】本発明に係る基地局の別の実施形態の概略図である。
【図５】本発明に係る信号伝送方法の実施形態の概略図である。
【図６】本発明に係る信号伝送方法の別の実施形態の概略図である。
【発明を実施するための形態】
【００６９】
以下、本発明の実施形態において添付の図面を参照して、本発明の実施形態の技術的解決策を説明する。当然ながら、説明される実施形態は本発明の実施形態の一部に過ぎず、全部ではない。当業者が本発明の実施形態に基づいて創意工夫なく得る他の実施形態は全て、本発明の保護範囲に包含されるものとする。
【００７０】
本発明の実施形態は、信号伝送方法、ユーザーイクイップメント及び基地局を提供する。本発明の実施形態は、システムのリソース利用を最適化し、処理の複雑さを低減し、電力消費を低減することができる。
【００７１】
図１を参照する。図１は、本発明におけるＵＥの実施形態を示す。本実施形態のＵＥ１００は以下の要素を含む。
【００７２】
第１の決定ユニット１０１は、当該ＵＥの特徴パラメータを決定するように構成される。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【００７３】
第１の処理ユニット１０２は、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定するように構成される。
【００７４】
理解を容易にするために、以下、実際の適用シナリオを用いて、本実施形態のＵＥ１００のユニット間のインタラクション方式を説明する。
【００７５】
最初に、第１の決定ユニット１０１は、ＵＥの特徴パラメータを決定する。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【００７６】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックスのうち少なくとも１つを含んでよい。
【００７７】
第１の決定ユニット１０１は、ＵＥの特徴パラメータを示す受信されたシグナリングに従って、ＵＥの特徴パラメータを決定してよい。シグナリングは別のＵＥにより本実施形態のＵＥに送信されてよく、或いは、基地局又は別のネットワークエンティティにより当該ＵＥに送信されてよい。代替として、第１の決定ユニット１０１は、ダウンリンク信号を正確に受信できるか否かに従って、ＵＥの特徴パラメータを決定する。例えば、ＵＥが基地局にアップリンク信号を送信し、ＵＥが基地局によってフィードバックされた対応するダウンリンク信号を正確に受信できた場合、第１の決定ユニット１０１は、ＵＥの現在の特徴パラメータ（例えば、現在の通信品質を表す特徴パラメータ）を決定することができる。より具体的には、特徴パラメータが拡張レベルインデックス（或いは繰り返しレベルインデックス、繰り返しレベル又は拡張レベル）であり、アップリンク信号が物理ランダムアクセスチャネルＰＲＡＣＨであり、ダウンリンク信号がランダムアクセス応答であるとき、ＵＥが、拡張レベルインデックス（或いは繰り返しレベルインデックス、繰り返しレベル又は拡張レベル）ｘに対応するＰＲＡＣＨ繰り返し回数に従って、拡張レベルインデックス（或いは繰り返しレベルインデックス、繰り返しレベル又は拡張レベル）ｘに対応するＰＲＡＣＨリソース（時間リソース及び／又は周波数リソース及び／又はコードリソース）上でＰＲＡＣＨをｒ回繰り返し送信した後、ランダムアクセス応答の受信に成功するか又はランダムアクセスプロセスの完了に成功した場合、ＵＥは、自身の特徴パラメータが拡張レベルインデックス（或いは繰り返しレベルインデックス、繰り返しレベル又は拡張レベル）ｘであると決定する。代替として、第１の決定ユニット１０１は、受信されたダウンリンク信号を測定することにより、ＵＥの特徴パラメータを決定する。具体的には、ＵＥは、参照信号、同期信号又は物理ブロードキャストチャネルを測定することにより、ＵＥの特徴パラメータを決定してよい。代替として、第１の決定ユニット１０１は、ＵＥの特徴パラメータを自律的に決定する。
【００７８】
第１の決定ユニット１０１がＵＥの特徴パラメータを決定した後、第１の処理ユニット１０２は、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定する。
【００７９】
本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【００８０】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【００８１】
具体的には、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【００８２】
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【００８３】
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであってよい。第１の機能集合のうちの機能と第２の機能集合のうちの機能とは完全に同じではない。
【００８４】
更に、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【００８５】
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【００８６】
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであってもよい。第１の機能集合のうちの機能と第２の機能集合のうちの機能とは完全に同じではない。
【００８７】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【００８８】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、ＵＥが信号集合２の信号の伝送をサポートする場合、ＵＥが信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージのうち１以上のタイプを含む。
【００８９】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は第１の機能集合よりも少ない。
【００９０】
第１の決定ユニット１０１がＵＥの特徴パラメータを決定した後、第１の処理ユニット１０２は、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
第１の処理ユニット１０２は、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
第１の処理ユニット１０２は、特徴パラメータと第３の信号のサポートされる機能との予め設定された対応関係に従って、ＵＥの特徴パラメータに対応する第３の信号のサポートされる機能を決定する。
【００９１】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【００９２】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【００９３】
本実施形態において、「伝送」は送信又は受信を指す。本実施形態において、「伝送する」は送信すること又は受信することを指す。
【００９４】
以下、ＵＥの特徴パラメータがカバレッジ拡張値である例を用いて、ＵＥがＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定することを説明する。
【００９５】
例えば、特徴パラメータと第１の信号の送信に用いられるカバレッジ拡張技術との予め設定された対応関係（予め基地局又はシステムによって特定される）は、以下のとおりである。すなわち、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられる。ここで、Ｘ及び／又はＹは予め定められる特徴閾値である。
【００９６】
第１の決定ユニット１０１が、ＵＥのカバレッジ拡張値がＸｄＢである（又は０ｄＢよりも大きくＸｄＢ以下である）と決定した場合、第１の処理ユニット１０２は、特徴パラメータと第１の信号の送信に用いられるカバレッジ拡張技術との対応関係に従って、第１のカバレッジ拡張技術が第１の信号の送信に用いられることを決定する。第１の決定ユニット１０１が、ＵＥのカバレッジ拡張値がＹｄＢである（又はＸｄＢよりも大きい、又はＸｄＢよりも大きくＹｄＢ以下である）と決定した場合、第１の処理ユニット１０２は、特徴パラメータと第１の信号の送信に用いられるカバレッジ拡張技術との対応関係に従って、第２のカバレッジ拡張技術が第１の信号の送信に用いられることを決定する。
【００９７】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【００９８】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）が用いられ、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。第１の決定ユニット１０１によって決定されたカバレッジ拡張値が３ｄＢである場合、すなわち、カバレッジ拡張値が５ｄＢ未満である場合、第１の処理ユニット１０２は、ＰＵＣＣＨにおいて、ＰＵＣＣＨカバレッジ拡張の実行に緩和要件（及び／又は周波数ホッピング）が用いられると決定する。第１の決定ユニット１０１によって決定されたカバレッジ拡張値が８ｄＢである場合、すなわち、カバレッジ拡張値が５ｄＢよりも大きく１０ｄＢ未満である（又は５ｄＢよりも大きい）場合、第１の処理ユニット１０２は、ＰＵＣＣＨにおいてＰＵＣＣＨカバレッジ拡張の実行に緩和要件（及び／又は周波数ホッピング）及び再伝送が用いられると決定する。
【００９９】
具体的には、別の例として、第１の信号は物理ブロードキャストチャネルＰＢＣＨであり、基地局又はシステムは、予め以下のように定める。すなわち、カバレッジ拡張値がＣｄＢであるとき、ＰＢＣＨカバレッジ拡張にキープトライングが用いられ、カバレッジ拡張値がＤｄＢであるとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。第１の決定ユニット１０１がカバレッジ拡張値が１０ｄＢであると決定した場合、第１の処理ユニット１０２は、ＰＢＣＨにおいてＰＢＣＨカバレッジ拡張の実行にキープトライングが用いられると決定し、第１の処理ユニット１０２はＰＢＣＨを検出するためにＰＢＣＨ検出を試し続ける。第１の決定ユニット１０１がカバレッジ拡張値が１５ｄＢであると決定した場合、第１の処理ユニット１０２は、ＰＢＣＨにおいてＰＢＣＨカバレッジ拡張の実行にキープトライング及び再伝送が用いられると決定し、第１の処理ユニット１０２は、ＰＢＣＨを検出するために、ＰＢＣＨ検出の繰り返しを試し続ける。
【０１００】
例えば、特徴パラメータと伝送がサポートされる第２の信号との予め設定された対応関係（予め基地局又はシステムによって特定される）は、以下のとおりである。すなわち、カバレッジ拡張値がＸｄＢである（又は０ｄＢよりも大きくＸｄＢ以下である）とき、ＵＥは信号集合１のうちの第２の信号の送信をサポートし、カバレッジ拡張値がＹｄＢである（又はＸｄＢよりも大きい、又はＸｄＢよりも大きくＹｄＢ以下である）とき、ＵＥは信号集合２のうちの第２の信号の送信をサポートする。ここで、Ｘ及び／又はＹは予め定められる特徴閾値である。
【０１０１】
第１の決定ユニット１０１が、ＵＥのカバレッジ拡張値がＸｄＢである（又は０ｄＢよりも大きくＸｄＢ以下である）と決定した場合、第１の処理ユニット１０２は、特徴パラメータと伝送がサポートされる第２の信号との対応関係に従って、信号集合１中の第２の信号の伝送がサポートされることを決定する。第１の決定ユニット１０１が、ＵＥのカバレッジ拡張値がＹｄＢである（又はＸｄＢよりも大きい、又はＸｄＢよりも大きくＹｄＢ以下である）と決定した場合、第１の処理ユニット１０２は、特徴パラメータと伝送がサポートされる第２の信号との対応関係に従って、信号集合２中の第２の信号の伝送がサポートされることを決定する。
【０１０２】
より具体的には、例えば、伝送信号集合１の第２の信号はＰＢＣＨ及び物理ハイブリッド自動再送要求指示チャネルＰＨＩＣＨであり、伝送信号集合２の第２の信号はＰＢＣＨである。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。第１の決定ユニット１０１によって決定されたカバレッジ拡張値が３ｄＢである場合、すなわち、カバレッジ拡張値が５ｄＢ未満である場合、第１の処理ユニット１０２は、ＰＢＣＨ及びＰＨＩＣＨがサポート可能であると決定する。第１の決定ユニット１０１によって決定されたカバレッジ拡張値が８ｄＢである場合、すなわち、カバレッジ拡張値が５ｄＢよりも大きく１０ｄＢ未満である場合、第１の処理ユニット１０２はＰＢＣＨがサポートされると決定する。すなわち、第１の処理ユニット１０２は、ＰＨＩＣＨがサポートされないと決定する。
【０１０３】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、ＵＥ１は、ＵＥ１のカバレッジ拡張値が５ｄＢ未満であると決定し、したがってＵＥ１は、ＰＵＣＣＨ（又はＰＨＩＣＨ）がサポート可能であると決定する。ＵＥ１のカバレッジ拡張値が８ｄＢである場合、ＵＥ１は、ＵＥ１のカバレッジ拡張値が５ｄＢよりも大きく１０ｄＢ未満である（又は５ｄＢよりも大きい）と決定し、ＵＥ１は、信号集合１の信号の伝送がサポートされないと決定する。すなわち、ＵＥ１は、ＰＵＣＣＨ（又はＰＨＩＣＨ）がサポートされないと決定する。
【０１０４】
例えば、特徴パラメータと第３の信号のサポートされる機能との予め設定された対応関係（予め基地局又はシステムによって特定される）は、以下のとおりである。すなわち、カバレッジ拡張値がＸｄＢである（又は０ｄＢよりも大きくＸｄＢ以下である）とき、ＵＥは、第３の信号の第１の機能集合のうちの機能をサポートし、カバレッジ拡張値がＹｄＢである（又はＸｄＢよりも大きい、又はＸｄＢよりも大きくＹｄＢ以下である）とき、ＵＥは、第３の信号の第２の機能集合の機能をサポートする。ここで、Ｘ及び／又はＹは予め定められる特徴閾値である。
【０１０５】
第１の決定ユニット１０１が、ＵＥのカバレッジ拡張値がＸｄＢである（又は０ｄＢよりも大きくＸｄＢ以下である）と決定した場合、第１の処理ユニット１０２は、特徴パラメータと第３の信号のサポートされる機能との対応関係に従って、第３の信号の第１の機能集合中の機能がサポートされることを決定する。第１の決定ユニット１０１が、ＵＥのカバレッジ拡張値がＹｄＢである（又はＸｄＢよりも大きい、又はＸｄＢよりも大きくＹｄＢ以下である）と決定した場合、第１の処理ユニット１０２は、特徴パラメータと第３の信号のサポートされる機能との対応関係に従って、第３の信号の第２の機能集合中の機能がサポートされることを決定する。
【０１０６】
より具体的には、例えば、第３の信号はＰＵＣＣＨである。基地局又はシステムは、予め以下のように定める。すなわち、ＰＵＣＣＨの第１の機能集合の機能は、チャネル品質情報を報告する機能と、スケジューリング要求機能と、信号が正確に受信されたかを示すアクノレッジメントをフィードバックする機能とを含み、ＰＵＣＣＨの第２の機能集合の機能は、スケジューリング要求機能と、信号が正確に受信されたかを示すアクノレッジメントをフィードバックする機能とを含む。更に、基地局又はシステムは、予め以下のように定める。すなわち、カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。第１の決定ユニット１０１によって決定されたカバレッジ拡張値が３ｄＢである場合、すなわち、カバレッジ拡張値が５ｄＢ未満である場合、第１の処理ユニット１０２は、ＰＵＣＣＨのチャネル品質情報を報告する機能と、スケジューリング要求機能と、信号が正確に受信されたかを示すアクノレッジメントをフィードバックする機能とがサポートされると決定する。第１の決定ユニット１０１によって決定されたカバレッジ拡張値が８ｄＢである場合、すなわち、カバレッジ拡張値が５ｄＢよりも大きく１０ｄＢ未満である（又は５ｄＢよりも大きい）場合、第１の処理ユニット１０２は、ＰＵＣＣＨのスケジューリング要求機能と、信号が正確に受信されたかを示すアクノレッジメントをフィードバックする機能とがサポートされると決定する。
【０１０７】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報（通信品質、チャネル品質又はサービス特徴を反映する）である場合も、本実施形態の実施は、上述の説明に従って同様に行われてよく、ここでは詳細の説明を省略する。
【０１０８】
本実施形態では、ＵＥの現在の特徴パラメータと予め設定された対応関係とに従って、第１の処理ユニットは、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、異なる特徴パラメータに適応することができる。よって、システムのリソース利用を最適化し、処理の複雑さを低減し、電力消費を低減することができる。
【０１０９】
以下、本発明の実施形態によって提供される基地局を説明する。図２を参照すると、本実施形態の基地局２００は以下の要素を含む。
【０１１０】
第２の決定ユニット２０１は、ＵＥの特徴パラメータを決定するように構成される。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【０１１１】
第２の処理ユニット２０２は、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定するように構成される。
【０１１２】
理解を容易にするために、以下、実際の適用シナリオを用いて、本実施形態における基地局２００のユニット間のインタラクション方式を説明する。
【０１１３】
本実施形態におけるＵＥは、基地局２００と通信する１以上のＵＥを指す。簡潔にするために、以下のＵＥは１つのＵＥを指す。
【０１１４】
最初に、第２の決定ユニット２０１は、ＵＥの特徴パラメータを決定する。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【０１１５】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、のうち少なくとも１つを含んでよい。
【０１１６】
第２の決定ユニット２０１は、ＵＥの特徴パラメータを示す受信されたシグナリングに従って、ＵＥの特徴パラメータを決定してよい。シグナリングは、ＵＥ又は別のネットワークエンティティにより基地局に送信されてよい。代替として、第２の決定ユニット２０１は、アップリンク信号を正確に受信できるか否かに従って、ＵＥの特徴パラメータを決定する。例えば、基地局がＵＥにダウンリンク信号を送信し、基地局がＵＥによってフィードバックされた対応するアップリンク信号を正確に受信できた場合、第２の決定ユニット２０１は、ＵＥの現在の特徴パラメータ（例えば、現在の通信品質を表す特徴パラメータ）を決定することができる。代替として、第２の決定ユニット２０１は、受信されたアップリンク信号を測定することにより、ＵＥの特徴パラメータを決定する。代替として、第２の決定ユニット２０１は、ＵＥの特徴パラメータを自律的に決定する。
【０１１７】
第２の決定ユニット２０１がＵＥの特徴パラメータを決定した後、第２の処理ユニット２０２は、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定する。
【０１１８】
本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【０１１９】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【０１２０】
具体的には、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１２１】
特徴パラメータと送信がサポートされる第２の信号との予め設定された対応関係は、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１２２】
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであってよい。第１の機能集合のうちの機能と第２の機能集合のうちの機能とは完全に同じではない。
【０１２３】
更に、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１２４】
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１２５】
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであってもよい。第１の機能集合のうちの機能と第２の機能集合のうちの機能とは完全に同じではない。
【０１２６】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【０１２７】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、基地局が信号集合２の信号の伝送をサポートする場合、基地局が信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージのうち１以上のタイプを含む。
【０１２８】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は、第１の機能集合よりも少ない。
【０１２９】
第２の決定ユニット２０１がＵＥの特徴パラメータを決定した後、第２の処理ユニット２０２は、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
第２の処理ユニット２０２は、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
第２の処理ユニット２０２は、特徴パラメータと第３の信号のサポートされる機能との予め設定された対応関係に従って、ＵＥの特徴パラメータに対応する第３の信号のサポートされる機能を決定する。
【０１３０】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【０１３１】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【０１３２】
本実施形態において、「伝送」は送信又は受信を指す。本実施形態において、「伝送する」は送信すること又は受信することを指す。
【０１３３】
以下、ＵＥの特徴パラメータがカバレッジ拡張値である例を用いて、基地局がＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定することを説明する。
【０１３４】
例えば、特徴パラメータと第１の信号の送信に用いられるカバレッジ拡張技術との予め設定された対応関係（予め基地局又はシステムによって特定される）は、以下のとおりである。すなわち、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられる。ここで、Ｘ及び／又はＹは予め定められる特徴閾値である。
【０１３５】
第２の決定ユニット２０１が、ＵＥのカバレッジ拡張値がＸｄＢである（又は０ｄＢよりも大きくＸｄＢ以下である）と決定した場合、第２の処理ユニット２０２は、特徴パラメータと第１の信号の送信に用いられるカバレッジ拡張技術との対応関係に従って、ＵＥとの通信時に第１のカバレッジ拡張技術が第１の信号の送信に用いられると決定する。第２の決定ユニット２０１が、ＵＥのカバレッジ拡張値がＹｄＢである（又はＸｄＢよりも大きい、又はＸｄＢよりも大きくＹｄＢ以下である）と決定した場合、第２の処理ユニット２０２は、特徴パラメータと第１の信号の送信に用いられるカバレッジ拡張技術との対応関係に従って、ＵＥとの通信時に第２のカバレッジ拡張技術が第１の信号の送信に用いられると決定する。
【０１３６】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【０１３７】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）が用いられ、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。第２の決定ユニット２０１が、ＵＥ１のカバレッジ拡張値が３ｄＢである、すなわち、カバレッジ拡張値が５ｄＢ未満であると決定した場合、第２の処理ユニット２０２は、ＰＵＣＣＨにおいてＰＵＣＣＨカバレッジ拡張の実行に緩和要件（及び／又は周波数ホッピング）が用いられると決定し、第２の処理ユニット２０２はこれに応じて、この方式でＰＵＣＣＨを受信する。第２の決定ユニット２０１が、ＵＥ２のカバレッジ拡張値が８ｄＢである、すなわち、カバレッジ拡張値が５ｄＢよりも大きく１０ｄＢ未満である（又は５ｄＢよりも大きい）と決定した場合、第２の処理ユニット２０２は、ＰＵＣＣＨにおいてＰＵＣＣＨカバレッジ拡張の実行に緩和要件（及び／又は周波数ホッピング）及び再伝送が用いられると決定し、第２の処理ユニット２０２はこれに応じて、この方式でＰＵＣＣＨを受信する。
【０１３８】
具体的には、別の例として、第１の信号は物理ブロードキャストチャネルＰＢＣＨであり、基地局又はシステムは、予め以下のように定める。すなわち、カバレッジ拡張値がＣｄＢよりも大きくないとき、ＰＢＣＨカバレッジ拡張にキープトライングが用いられ、カバレッジ拡張値がＤｄＢよりも大きくないとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。第２の決定ユニット２０１が、ＵＥ（１つのＵＥ又は複数のＵＥ）の現在のカバレッジ拡張値が１０ｄＢよりも大きくないと決定した場合、第２の処理ユニット２０２は、ＰＢＣＨにおいてＰＢＣＨカバレッジ拡張の実行にキープトライングが用いられると決定する。第２の決定ユニット２０１が、ＵＥ（１つのＵＥ又は複数のＵＥ）の現在のカバレッジ拡張値が１５ｄＢよりも大きくないと決定した場合、第２の決定ユニット２０１は、ＰＢＣＨにおいてＰＢＣＨカバレッジ拡張の実行にキープトライング及び再伝送が用いられると決定する。
【０１３９】
例えば、特徴パラメータと伝送がサポートされる第２の信号との予め設定された対応関係（予め基地局又はシステムによって特定される）は、以下のとおりである。すなわち、カバレッジ拡張値がＸｄＢである（又は０ｄＢよりも大きくＸｄＢ以下である）とき、基地局は信号集合１のうちの第２の信号の送信をサポートし、カバレッジ拡張値がＹｄＢである（又はＸｄＢよりも大きい、又はＸｄＢよりも大きくＹｄＢ以下である）とき、基地局は信号集合２のうちの第２の信号の送信をサポートする。ここで、Ｘ及び／又はＹは予め定められる特徴閾値である。
【０１４０】
第２の決定ユニット２０１が、ＵＥのカバレッジ拡張値がＸｄＢである（又は０ｄＢよりも大きくＸｄＢ以下である）と決定した場合、第２の処理ユニット２０２は、特徴パラメータと伝送がサポートされる第２の信号との対応関係に従って、ＵＥとの通信時に信号集合１中の第２の信号の伝送がサポートされることを決定する。第２の決定ユニット２０１が、ＵＥのカバレッジ拡張値がＹｄＢである（又はＸｄＢよりも大きい、又はＸｄＢよりも大きくＹｄＢ以下である）と決定した場合、第２の処理ユニット２０２は、特徴パラメータと伝送がサポートされる第２の信号との対応関係に従って、ＵＥとの通信時に信号集合２中の第２の信号の伝送がサポートされることを決定する。
【０１４１】
より具体的には、例えば、伝送信号集合１の第２の信号はＰＢＣＨ及び物理ハイブリッド自動再送要求指示チャネルＰＨＩＣＨであり、信号集合２の第２の信号はＰＢＣＨである。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、第２の決定ユニット２０１はＵＥ１のカバレッジ拡張値が５ｄＢ未満であると決定し、したがって第２の処理ユニット２０２は、ＵＥ１との通信時にＰＢＣＨ及びＰＨＩＣＨがサポート可能であると決定する。第２の決定ユニット２０１が、ＵＥ２のカバレッジ拡張値が８ｄＢである、すなわち、ＵＥ２のカバレッジ拡張値が５ｄＢよりも大きく１０ｄＢ未満であると決定した場合、第２の処理ユニット２０２は、ＵＥ２との通信時にＰＢＣＨがサポートされると決定する。すなわち、ＵＥ２との通信時にＰＨＩＣＨがサポートされないと決定される。
【０１４２】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。第２の決定ユニット２０１がＵＥ１のカバレッジ拡張値が３ｄＢであると決定した場合、すなわち、ＵＥ１のカバレッジ拡張値が５ｄＢ未満であると決定された場合、第２の処理ユニット２０２は、ＵＥ１との通信時にＰＵＣＣＨ（又はＰＨＩＣＨ）がサポート可能であると決定する。第２の決定ユニット２０１がＵＥ１のカバレッジ拡張値が８ｄＢである、すなわち、カバレッジ拡張値が５ｄＢよりも大きく１０ｄＢ未満である（又は５ｄＢよりも大きい）と決定した場合、第２の処理ユニット２０２は、ＵＥ１との通信時に信号集合１の信号の伝送がサポートされない、すなわち、基地局とＵＥ１との通信時にＰＵＣＣＨ（又はＰＨＩＣＨ）がサポートされないと決定する。
【０１４３】
例えば、特徴パラメータと第３の信号のサポートされる機能との予め設定された対応関係（予め基地局又はシステムによって特定される）は、以下のとおりである。すなわち、カバレッジ拡張値がＸｄＢである（又は０ｄＢよりも大きくＸｄＢ以下である）とき、基地局は、第３の信号の第１の機能集合のうちの機能をサポートし、カバレッジ拡張値がＹｄＢである（又はＸｄＢよりも大きい、又はＸｄＢよりも大きくＹｄＢ以下である）とき、基地局は、第３の信号の第２の機能中の機能をサポートする。ここで、Ｘ及び／又はＹは予め定められる特徴閾値である。
【０１４４】
第２の決定ユニット２０１が、ＵＥのカバレッジ拡張値がＸｄＢである（又は０ｄＢよりも大きくＸｄＢ以下である）と決定した場合、第２の処理ユニット２０２は、特徴パラメータと第３の信号のサポートされる機能との対応関係に従って、第３の信号の第１の機能集合中の機能がサポートされることを決定する。第２の決定ユニット２０１が、ＵＥのカバレッジ拡張値がＹｄＢである（又はＸｄＢよりも大きい、又はＸｄＢよりも大きくＹｄＢ以下である）と決定した場合、第２の処理ユニット２０２は、特徴パラメータと第３の信号のサポートされる機能との対応関係に従って、第３の信号の第２の機能集合中の機能がサポートされることを決定する。
【０１４５】
より具体的には、例えば、第３の信号はＰＵＣＣＨである。基地局又はシステムは、予め以下のように定める。すなわち、ＰＵＣＣＨの第１の機能集合の機能がチャネル品質情報を報告する機能と、スケジューリング要求機能と、信号が正確に受信されたかを示すアクノレッジメントをフィードバックする機能とを含み、ＰＵＣＣＨの第２の機能集合の機能がスケジューリング要求機能と、信号が正確に受信されたかを示すアクノレッジメントをフィードバックする機能とを含む。更に、基地局又はシステムは、予め以下のように定める。すなわち、カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。第２の決定ユニット２０１がＵＥ１のカバレッジ拡張値が３ｄＢであると決定した場合、すなわち、ＵＥ１のカバレッジ拡張値が５ｄＢ未満であると決定された場合、第２の処理ユニット２０２は、ＵＥ１との通信時にＰＵＣＣＨのチャネル品質情報を報告する機能と、スケジューリング要求機能と、信号が正確に受信されたかを示すアクノレッジメントをフィードバックする機能とがサポートされると決定する。第２の決定ユニット２０１がＵＥ１のカバレッジ拡張値が８ｄＢであると決定した場合、すなわち、ＵＥ１のカバレッジ拡張値が５ｄＢよりも大きく１０ｄＢ未満である（又は５ｄＢよりも大きい）と決定された場合、第２の処理ユニット２０２は、ＵＥ１との通信時にＰＵＣＣＨのスケジューリング要求機能と、信号が正確に受信されたかを示すアクノレッジメントをフィードバックする機能とがサポートされると決定する。
【０１４６】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報  （通信品質、チャネル品質又はサービス特徴を反映する）である場合も、本実施形態の実施は、上述の説明に従って同様に行われてよく、ここでは詳細の説明を省略する。
【０１４７】
本実施形態では、ＵＥの現在の特徴パラメータと予め設定された対応関係とに従って、第１の処理ユニットは、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、ＵＥの異なる特徴パラメータに適応することができる。よって、システムのリソース利用を最適化し、処理の複雑さを低減し、電力消費を低減することができる。
【０１４８】
以下、本発明に係るＵＥの別の実施形態を説明する。図３を参照すると、本実施形態のＵＥ３００は以下の要素を備える。
【０１４９】
第１のメモリ３０１は、予め設定された対応関係を記憶するように構成される。
【０１５０】
第１のプロセッサ３０２は、当該ＵＥの特徴パラメータを決定するように構成され、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指し、且つ、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定するように構成される。
【０１５１】
理解を容易にするために、以下、実際の適用シナリオを用いて、本実施形態におけるＵＥ３００のユニット間のインタラクション方式を説明する。
【０１５２】
予め設定された対応関係は第１のメモリ３０１に保存される。本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【０１５３】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【０１５４】
具体的には、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１５５】
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１５６】
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであってよい。第１の機能集合のうちの機能と第２の機能集合のうちの機能とは完全に同じではない。
【０１５７】
更に、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１５８】
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１５９】
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであってもよい。第１の機能集合のうちの機能と第２の機能集合のうちの機能とは完全に同じではない。
【０１６０】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【０１６１】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、ＵＥが信号集合２の信号の伝送をサポートする場合、ＵＥが信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、のうち１以上のタイプを含む。
【０１６２】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は、第１の機能集合よりも少ない。
【０１６３】
第１のプロセッサ３０２は、ＵＥの特徴パラメータを決定する。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を差す。
【０１６４】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、のうち少なくとも１つを含んでよい。
【０１６５】
第１のプロセッサ３０２は、ＵＥの特徴パラメータを示す受信されたシグナリングに従って、ＵＥの特徴パラメータを決定してよい。シグナリングは別のＵＥにより本実施形態のＵＥに送信されてよく、或いは、基地局又は別のネットワークエンティティによりＵＥに送信されてよい。代替として、第１のプロセッサ３０２は、ダウンリンク信号を正確に受信できるか否かに従って、ＵＥの特徴パラメータを決定する。例えば、ＵＥは基地局にアップリンク信号を送信し、ＵＥが基地局によってフィードバックされた対応するダウンリンク信号を正確に受信できた場合、第１のプロセッサ３０２は、ＵＥの現在の特徴パラメータ（例えば、現在の通信品質を表す特徴パラメータ）を決定することができる。代替として、第１のプロセッサ３０２は、受信されたダウンリンク信号を測定することにより、ＵＥの特徴パラメータを決定する。代替として、第１のプロセッサ３０２は、ＵＥの特徴パラメータを自律的に決定する。
【０１６６】
ＵＥの特徴パラメータを決定した後、第１のプロセッサ３０２は、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定する。
【０１６７】
第１のプロセッサ３０２がＵＥの特徴パラメータを決定した後、第１のプロセッサ３０２は、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
第１のプロセッサ３０２は、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
第１のプロセッサ３０２は、特徴パラメータと第３の信号のサポートされる機能との予め設定された対応関係に従って、ＵＥの特徴パラメータに対応する第３の信号のサポートされる機能を決定する。
【０１６８】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【０１６９】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【０１７０】
本実施形態において、「伝送」は送信又は受信を指す。本実施形態において、「伝送する」は送信すること又は受信することを指す。
【０１７１】
以下、ＵＥの特徴パラメータがカバレッジ拡張値である例を用いて、ＵＥがＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定することを説明する。
【０１７２】
例えば、特徴パラメータと第１の信号の送信に用いられるカバレッジ拡張技術との予め設定された対応関係（予め基地局又はシステムによって特定される）は、以下のとおりである。すなわち、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられる。ここで、Ｘ及び／又はＹは予め定められる特徴閾値である。
【０１７３】
第１のプロセッサ３０２が、ＵＥのカバレッジ拡張値がＸｄＢである（又は０ｄＢよりも大きくＸｄＢ以下である）と決定した場合、第１のプロセッサ３０２は、特徴パラメータと第１の信号の送信に用いられるカバレッジ拡張技術との対応関係に従って、第１のカバレッジ拡張技術が第１の信号の送信に用いられることを決定する。第１のプロセッサ３０２が、ＵＥのカバレッジ拡張値がＹｄＢである（又はＸｄＢよりも大きい、又はＸｄＢよりも大きくＹｄＢ以下である）と決定した場合、第１のプロセッサ３０２は、特徴パラメータと第１の信号の送信に用いられるカバレッジ拡張技術との対応関係に従って、第２のカバレッジ拡張技術が第１の信号の送信に用いられることを決定する。
【０１７４】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【０１７５】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）が用いられ、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。第１のプロセッサ３０２によって決定されたカバレッジ拡張値が３ｄＢである、すなわち、カバレッジ拡張値が５ｄＢ未満である場合、第１のプロセッサ３０２は、ＰＵＣＣＨにおいてＰＵＣＣＨカバレッジ拡張の実行に緩和要件（及び／又は周波数ホッピング）が用いられると決定する。第１のプロセッサ３０２によって決定されたカバレッジ拡張値が８ｄＢである、すなわち、カバレッジ拡張値が５ｄＢよりも大きく１０ｄＢ未満である（又は５ｄＢよりも大きい）場合、第１のプロセッサ３０２は、ＰＵＣＣＨにおいてＰＵＣＣＨカバレッジ拡張の実行に緩和要件（及び／又は周波数ホッピング）及び再伝送が用いられると決定する。
【０１７６】
具体的には、別の例として、第１の信号は物理ブロードキャストチャネルＰＢＣＨであり、基地局又はシステムは、予め以下のように定める。すなわち、カバレッジ拡張値がＣｄＢであるとき、ＰＢＣＨカバレッジ拡張にキープトライングが用いられ、カバレッジ拡張値がＤｄＢであるとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。第１のプロセッサ３０２がカバレッジ拡張値が１０ｄＢであると決定した場合、第１のプロセッサ３０２は、ＰＢＣＨにおいてＰＢＣＨカバレッジ拡張の実行にキープトライングが用いられると決定し、第１のプロセッサ３０２は、ＰＢＣＨを検出するためにＰＢＣＨ検出を試し続ける。第１のプロセッサ３０２がカバレッジ拡張値が１５ｄＢであると決定した場合、第１のプロセッサ３０２は、ＰＢＣＨにおいてＰＢＣＨカバレッジ拡張の実行にキープトライング及び再伝送が用いられると決定し、第１のプロセッサ３０２はＰＢＣＨを検出するためにＰＢＣＨ検出を試し続ける。
【０１７７】
例えば、特徴パラメータと伝送がサポートされる第２の信号との予め設定された対応関係（予め基地局又はシステムによって特定される）は、以下のとおりである。すなわち、カバレッジ拡張値がＸｄＢである（又は０ｄＢよりも大きくＸｄＢ以下である）とき、ＵＥは信号集合１のうちの第２の信号の送信をサポートし、カバレッジ拡張値がＹｄＢである（又はＸｄＢよりも大きい、又はＸｄＢよりも大きくＹｄＢ以下である）とき、ＵＥは信号集合２のうちの第２の信号の送信をサポートする。ここで、Ｘ及び／又はＹは予め定められる特徴閾値である。
【０１７８】
第１のプロセッサ３０２がＵＥのカバレッジ拡張値がＸｄＢである（又は０ｄＢよりも大きくＸｄＢ以下である）と決定した場合、第１のプロセッサ３０２は、特徴パラメータと伝送がサポートされる第２の信号との対応関係に従って、信号集合１中の第２の信号の伝送がサポートされると決定する。第１のプロセッサ３０２がＵＥのカバレッジ拡張値がＹｄＢである（又はＸｄＢよりも大きい、又はＸｄＢよりも大きくＹｄＢ以下である）と決定した場合、第１のプロセッサ３０２は、特徴パラメータと伝送がサポートされる第２の信号との対応関係に従って、信号集合２中の第２の信号の伝送がサポートされると決定する。
【０１７９】
より具体的には、例えば、伝送信号集合１の第２の信号はＰＢＣＨ及び物理ハイブリッド自動再送要求指示チャネルＰＨＩＣＨであり、信号集合２の第２の信号はＰＢＣＨである。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。第１のプロセッサ３０２によって決定されたカバレッジ拡張値が３ｄＢである場合、すなわち、カバレッジ拡張値が５ｄＢ未満である場合、第１のプロセッサ３０２は、ＰＢＣＨ及びＰＨＩＣＨがサポート可能であると決定する。第１のプロセッサ３０２によって決定されたカバレッジ拡張値が８ｄＢである、すなわち、カバレッジ拡張値が５ｄＢよりも大きく１０ｄＢ未満である場合、第１のプロセッサ３０２は、ＰＢＣＨがサポートされると決定する。すなわち、第１のプロセッサ３０２は、ＰＨＩＣＨがサポートされないと決定する。
【０１８０】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、ＵＥ１はＵＥ１のカバレッジ拡張値が５ｄＢ未満であると決定し、したがってＵＥ１は、ＰＵＣＣＨ（又はＰＨＩＣＨ）がサポート可能であると決定する。ＵＥ１のカバレッジ拡張値が８ｄＢである場合、ＵＥ１はＵＥ１のカバレッジ拡張値が５ｄＢよりも大きく１０ｄＢ未満である（又は５ｄＢよりも大きい）と決定し、ＵＥ１は、信号集合１の信号の伝送がサポートされないと決定する。すなわち、ＵＥ１は、ＰＵＣＣＨ（又はＰＨＩＣＨ）がサポートされないと決定する。
【０１８１】
例えば、特徴パラメータと第３の信号のサポートされる機能との予め設定された対応関係（予め基地局又はシステムによって特定される）は、カバレッジ拡張値がＸｄＢである（又は０ｄＢよりも大きくＸｄＢ以下である）とき、ＵＥは、第３の信号の第１の機能集合のうちの機能をサポートし、カバレッジ拡張値がＹｄＢである（又はＸｄＢよりも大きい、又はＸｄＢよりも大きくＹｄＢ以下である）とき、ＵＥは、第３の信号の第２の機能集合の機能をサポートすることである。ここで、Ｘ及び／又はＹは予め定められる特徴閾値である。
【０１８２】
第１のプロセッサ３０２がＵＥのカバレッジ拡張値がＸｄＢである（又は０ｄＢよりも大きくＸｄＢ以下である）と決定した場合、第１のプロセッサ３０２は、特徴パラメータと第３の信号のサポートされる機能との対応関係に従って、第３の信号の第１の機能集合中の機能がサポートされると決定する。第１のプロセッサ３０２がＵＥのカバレッジ拡張値がＹｄＢである（又はＸｄＢよりも大きい、又はＸｄＢよりも大きくＹｄＢ以下である）と決定した場合、第１のプロセッサ３０２は、特徴パラメータと第３の信号のサポートされる機能との対応関係に従って、第３の信号の第２の機能集合中の機能がサポートされると決定する。
【０１８３】
より具体的には、例えば、第３の信号はＰＵＣＣＨである。基地局又はシステムは、予め以下のように定める。すなわち、ＰＵＣＣＨの第１の機能集合の機能がチャネル品質情報を報告する機能と、スケジューリング要求機能と、信号が正確に受信されたかを示すアクノレッジメントをフィードバックする機能とを含み、ＰＵＣＣＨの第２の機能集合の機能がスケジューリング要求機能と、信号が正確に受信されたかを示すアクノレッジメントをフィードバックする機能とを含む。更に、基地局又はシステムは、予め以下のように定める。カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。第１のプロセッサ３０２によって決定されたカバレッジ拡張値が３ｄＢである、すなわち、カバレッジ拡張値が５ｄＢ未満である場合、第１のプロセッサ３０２は、ＰＵＣＣＨのチャネル品質情報を報告する機能と、スケジューリング要求機能と、信号が正確に受信されたかを示すアクノレッジメントをフィードバックする機能とがサポートされると決定する。第１のプロセッサ３０２によって決定されたカバレッジ拡張値が８ｄＢである、すなわち、カバレッジ拡張値が５ｄＢよりも大きく１０ｄＢ未満である（又は５ｄＢよりも大きい）場合、第１のプロセッサ３０２は、ＰＵＣＣＨのスケジューリング要求機能と、信号が正確に受信されたかを示すアクノレッジメントをフィードバックする機能とがサポートされると決定する。
【０１８４】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報（通信品質、チャネル品質又はサービス特徴を反映する）である場合も、本実施形態の実施は、上述の説明に従って同様に行われてよく、ここでは詳細の説明を省略する。
【０１８５】
本実施形態では、ＵＥの現在の特徴パラメータと予め設定された対応関係とに従って、第１のプロセッサは、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、異なる特徴パラメータに適応することができる。結果として、システムのリソース利用を最適化し、処理の複雑さを低減し、電力消費を低減することができる。
【０１８６】
以下、本発明に係る基地局の別の実施形態を説明する。図４を参照すると、本実施形態の基地局４００は以下の要素を備える。
【０１８７】
第２のメモリ４０１は、予め設定された対応関係を記憶するように構成される。
【０１８８】
第２のプロセッサ４０２は、ＵＥの特徴パラメータを決定するように構成され、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指し、且つ、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定するように構成される。
【０１８９】
理解を容易にするために、以下、実際の適用シナリオを用いて、本実施形態における基地局４００のユニット間のインタラクション方式を説明する。
【０１９０】
本実施形態において、ＵＥは、基地局４００と通信するＵＥを指す。
【０１９１】
予め設定された対応関係は第２のメモリ４０１に記憶される。本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【０１９２】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【０１９３】
具体的には、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１９４】
特徴パラメータと送信がサポートされる第２の信号との予め設定された対応関係は、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１９５】
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであってよい。第１の機能集合のうちの機能と第２の機能集合のうちの機能とは完全に同じではない。
【０１９６】
更に、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０１９７】
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０１９８】
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであってもよい。第１の機能集合のうちの機能と第２の機能集合のうちの機能とは完全に同じではない。
【０１９９】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【０２００】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、基地局が信号集合２の信号の伝送をサポートする場合、基地局が信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、のうち１以上のタイプを含む。
【０２０１】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は、第１の機能集合よりも少ない。
【０２０２】
第２のプロセッサ４０２は、ＵＥの特徴パラメータを決定する。ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【０２０３】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、のうち少なくとも１つを含んでよい。
【０２０４】
第２のプロセッサ４０２は、ＵＥの特徴パラメータを示す受信されたシグナリングに従って、ＵＥの特徴パラメータを決定してよい。シグナリングは、ＵＥ又は別のネットワークエンティティにより基地局に送信されてよい。代替として、第２のプロセッサ４０２は、アップリンク信号を正確に受信できるか否かに従って、ＵＥの特徴パラメータを決定する。例えば、基地局がＵＥにダウンリンク信号を送信し、基地局がＵＥによってフィードバックされた対応するアップリンク信号を正確に受信できた場合、第２のプロセッサ４０２は、ＵＥの現在の特徴パラメータ（例えば、現在の通信品質を表す特徴パラメータ）を決定することができる。代替として、第２のプロセッサ４０２は、受信されたアップリンク信号を測定することにより、ＵＥの特徴パラメータを決定する。代替として、第２のプロセッサ４０２は、ＵＥの特徴パラメータを自律的に決定する。
【０２０５】
ＵＥの特徴パラメータを決定した後、第２のプロセッサ４０２は、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定する。
【０２０６】
第２のプロセッサ４０２がＵＥの特徴パラメータを決定した後、第２のプロセッサ４０２は、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
第２のプロセッサ４０２は、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
第２のプロセッサ４０２は、特徴パラメータと第３の信号のサポートされる機能との予め設定された対応関係に従って、ＵＥの特徴パラメータに対応する第３の信号のサポートされる機能を決定する。
【０２０７】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【０２０８】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【０２０９】
本実施形態において、「伝送」は送信又は受信を指す。本実施形態において、「伝送する」は送信すること又は受信することを指す。
【０２１０】
以下、ＵＥの特徴パラメータがカバレッジ拡張値である例を用いて、基地局がＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定することを説明する。
【０２１１】
例えば、特徴パラメータと第１の信号の送信に用いられるカバレッジ拡張技術との予め設定された対応関係（予め基地局又はシステムによって特定される）は、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられることである。ここで、Ｘ及び／又はＹは予め定められる特徴閾値である。
【０２１２】
第２のプロセッサ４０２がＵＥのカバレッジ拡張値がＸｄＢである（又は０ｄＢよりも大きくＸｄＢ以下である）と決定した場合、第２のプロセッサ４０２は、特徴パラメータと第１の信号の送信に用いられるカバレッジ拡張技術との対応関係に従って、ＵＥとの通信時に第１のカバレッジ拡張技術が第１の信号の送信に用いられると決定する。第２のプロセッサ４０２がＵＥのカバレッジ拡張値がＹｄＢである（又はＸｄＢよりも大きい、又はＸｄＢよりも大きくＹｄＢ以下である）と決定した場合、第２のプロセッサ４０２は、特徴パラメータと第１の信号の送信に用いられるカバレッジ拡張技術との対応関係に従って、ＵＥとの通信時に第２のカバレッジ拡張技術が第１の信号の送信に用いられると決定する。
【０２１３】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【０２１４】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）を用い、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。第２のプロセッサ４０２がＵＥ１のカバレッジ拡張値が３ｄＢである、すなわち、カバレッジ拡張値が５ｄＢ未満であると決定した場合、第２のプロセッサ４０２は、ＰＵＣＣＨにおいてＰＵＣＣＨカバレッジ拡張の実行に緩和要件（及び／又は周波数ホッピング）が用いられると決定し、第２のプロセッサ４０２はこれに応じて、この方式でＰＵＣＣＨを受信する。第２のプロセッサ４０２がＵＥ２のカバレッジ拡張値が８ｄＢである、すなわち、カバレッジ拡張値が５ｄＢよりも大きく１０ｄＢ未満である（又は５ｄＢよりも大きい）と決定した場合、第２のプロセッサ４０２は、ＰＵＣＣＨにおいてＰＵＣＣＨカバレッジ拡張の実行に緩和要件（及び／又は周波数ホッピング）及び再伝送が用いられると決定し、第２のプロセッサ４０２はこれに応じて、この方式でＰＵＣＣＨを受信する。
【０２１５】
具体的には、別の例として、第１の信号は物理ブロードキャストチャネルＰＢＣＨであり、基地局又はシステムは、予め以下のように定める。すなわち、カバレッジ拡張値がＣｄＢよりも大きくないとき、ＰＢＣＨカバレッジ拡張にキープトライングが用いられ、カバレッジ拡張値がＤｄＢよりも大きくないとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。第２のプロセッサ４０２がＵＥ（１つのＵＥ又は複数のＵＥ）の現在のカバレッジ拡張値が１０ｄＢよりも大きくないと決定した場合、第２のプロセッサ４０２は、ＰＢＣＨにおいてＰＢＣＨカバレッジ拡張の実行にキープトライングが用いられると決定する。第２のプロセッサ４０２がＵＥ（１つのＵＥ又は複数のＵＥ）の現在のカバレッジ拡張値が１５ｄＢよりも大きくないと決定した場合、第２のプロセッサ４０２は、ＰＢＣＨにおいてＰＢＣＨカバレッジ拡張の実行にキープトライング及び再伝送が用いられると決定する。
【０２１６】
例えば、特徴パラメータと伝送がサポートされる第２の信号との予め設定された対応関係（予め基地局又はシステムによって特定される）は、カバレッジ拡張値がＸｄＢである（又は０ｄＢよりも大きくＸｄＢ以下である）とき、基地局は信号集合１のうちの第２の信号の送信をサポートし、カバレッジ拡張値がＹｄＢである（又はＸｄＢよりも大きい、又はＸｄＢよりも大きくＹｄＢ以下である）とき、基地局は信号集合２のうちの第２の信号の送信をサポートすることである。ここで、Ｘ及び／又はＹは予め定められる特徴閾値である。
【０２１７】
第２のプロセッサ４０２がＵＥのカバレッジ拡張値がＸｄＢである（又は０ｄＢよりも大きくＸｄＢ以下である）と決定した場合、第２のプロセッサ４０２は、特徴パラメータと伝送がサポートされる第２の信号との対応関係に従って、ＵＥとの通信時に信号集合１中の第２の信号の伝送がサポートされると決定する。第２のプロセッサ４０２がＵＥのカバレッジ拡張値がＹｄＢである（又はＸｄＢよりも大きい、又はＸｄＢよりも大きくＹｄＢ以下である）と決定した場合、第２のプロセッサ４０２は、特徴パラメータと伝送がサポートされる第２の信号との対応関係に従って、ＵＥとの通信時に信号集合２中の第２の信号の伝送がサポートされると決定する。
【０２１８】
より具体的には、例えば、伝送信号集合１の第２の信号はＰＢＣＨ及び物理ハイブリッド自動再送要求指示チャネルＰＨＩＣＨであり、信号集合２の第２の信号はＰＢＣＨである。基地局又はシステムは、予め以下のように定める。カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、第２のプロセッサ４０２はＵＥ１のカバレッジ拡張値が５ｄＢ未満であると決定し、したがって第２のプロセッサ４０２は、ＵＥ１との通信時にＰＢＣＨ及びＰＨＩＣＨがサポート可能であると決定する。第２のプロセッサ４０２がＵＥ２のカバレッジ拡張値が８ｄＢである、すなわち、ＵＥ２のカバレッジ拡張値が５ｄＢよりも大きく１０ｄＢ未満であると決定した場合、第２のプロセッサ４０２は、ＵＥ２との通信時にＰＢＣＨがサポートされると決定し、すなわち、ＵＥ２との通信時にＰＨＩＣＨがサポートされないと決定される。
【０２１９】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。第２のプロセッサ４０２がＵＥ１のカバレッジ拡張値が３ｄＢであると決定した場合、すなわち、ＵＥ１のカバレッジ拡張値が５ｄＢ未満であると決定された場合、第２のプロセッサ４０２は、ＵＥ１との通信時にＰＵＣＣＨ（又はＰＨＩＣＨ）がサポート可能であると決定する。第２のプロセッサ４０２がＵＥ１のカバレッジ拡張値が８ｄＢである、すなわち、カバレッジ拡張値が５ｄＢよりも大きく１０ｄＢ未満である（又は５ｄＢよりも大きい）と決定した場合、第２のプロセッサ４０２は、ＵＥ１との通信時に信号集合１の信号の伝送がサポートされない、すなわち、基地局とＵＥ１との通信時にＰＵＣＣＨ（又はＰＨＩＣＨ）がサポートされないと決定する。
【０２２０】
例えば、特徴パラメータと第３の信号のサポートされる機能との予め設定された対応関係（予め基地局又はシステムによって特定される）は、カバレッジ拡張値がＸｄＢである（又は０ｄＢよりも大きくＸｄＢ以下である）とき、基地局は、第３の信号の第１の機能集合のうちの機能をサポートし、カバレッジ拡張値がＹｄＢである（又はＸｄＢよりも大きい、又はＸｄＢよりも大きくＹｄＢ以下である）とき、基地局は、第３の信号の第２の機能中の機能をサポートすることである。ここで、Ｘ及び／又はＹは予め定められる特徴閾値である。
【０２２１】
第２のプロセッサ４０２がＵＥのカバレッジ拡張値がＸｄＢである（又は０ｄＢよりも大きくＸｄＢ以下である）と決定した場合、第２のプロセッサ４０２は、特徴パラメータと第３の信号のサポートされる機能との対応関係に従って、第３の信号の第１の機能集合中の機能がサポートされると決定する。第２のプロセッサ４０２がＵＥのカバレッジ拡張値がＹｄＢである（又はＸｄＢよりも大きい、又はＸｄＢよりも大きくＹｄＢ以下である）と決定した場合、第２のプロセッサ４０２は、特徴パラメータと第３の信号のサポートされる機能との対応関係に従って、第３の信号の第２の機能集合中の機能がサポートされると決定する。
【０２２２】
より具体的には、例えば、第３の信号はＰＵＣＣＨである。基地局又はシステムは、予め以下のように定める。すなわち、ＰＵＣＣＨの第１の機能集合の機能がチャネル品質情報を報告する機能と、スケジューリング要求機能と、信号が正確に受信されたかを示すアクノレッジメントをフィードバックする機能とを含み、ＰＵＣＣＨの第２の機能集合の機能がスケジューリング要求機能と、信号が正確に受信されたかを示すアクノレッジメントをフィードバックする機能とを含む。更に、基地局又はシステムは、予め以下のように定める。カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。第２のプロセッサ４０２がＵＥ１のカバレッジ拡張値が３ｄＢであると決定した場合、すなわち、ＵＥ１のカバレッジ拡張値が５ｄＢ未満であると決定された場合、第２のプロセッサ４０２は、ＵＥ１との通信時に、ＰＵＣＣＨのチャネル品質情報を報告する機能と、スケジューリング要求機能と、信号が正確に受信されたかを示すアクノレッジメントをフィードバックする機能とがサポートされると決定する。第２のプロセッサ４０２がＵＥ１のカバレッジ拡張値が８ｄＢであると決定した場合、すなわち、ＵＥ１のカバレッジ拡張値が５ｄＢよりも大きく１０ｄＢ未満である（又は５ｄＢよりも大きい）と決定された場合、第２のプロセッサ４０２は、ＵＥ１との通信時に、ＰＵＣＣＨのスケジューリング要求機能と、信号が正確に受信されたかを示すアクノレッジメントをフィードバックする機能とがサポートされると決定する。
【０２２３】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報（通信品質、チャネル品質又はサービス特徴を反映する）である場合も、本実施形態の実施は、上述の説明に従って同様に行われてよく、ここでは詳細の説明を省略する。
【０２２４】
本実施形態では、ＵＥの現在の特徴パラメータと予め設定された対応関係とに従って、第１のプロセッサは、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、ＵＥの異なる特徴パラメータに適応することができる。結果として、システムのリソース利用を最適化し、処理の複雑さを低減し、電力消費を低減することができる。
【０２２５】
以下、本発明によって提供される信号伝送方法を説明する。図５を参照すると、本方法は、図１又は図３に提供されるＵＥに適用することができる。本発明の信号伝送方法の実施形態は以下を含む。
【０２２６】
５０１：ＵＥが、ＵＥの特徴パラメータを決定する。
【０２２７】
本実施形態では、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【０２２８】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、のうち少なくとも１つを含んでよい。
【０２２９】
ＵＥは、ＵＥの特徴パラメータを示す受信されたシグナリングに従って、ＵＥの特徴パラメータを決定してよい。シグナリングは、別のＵＥにより本実施形態のＵＥに送信されてよく、或いは、基地局又は別のネットワークエンティティによりＵＥに送信されてよい。代替として、ＵＥは、ダウンリンク信号を正確に受信できるか否かに従って、ＵＥの特徴パラメータを決定する。例えば、ＵＥは基地局にアップリンク信号を送信し、ＵＥが基地局によってフィードバックされる対応するダウンリンク信号を正確に受信できた場合、ＵＥは、ＵＥの現在の特徴パラメータ（例えば、現在の通信品質を表す特徴パラメータ）を決定することができる。代替として、ＵＥは、受信されたダウンリンク信号を測定することにより、ＵＥの特徴パラメータを決定する。代替として、ＵＥは、ＵＥの特徴パラメータを自律的に決定する。
【０２３０】
５０２：ＵＥが、ＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定する。
【０２３１】
本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【０２３２】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【０２３３】
具体的には、特徴パラメータと第１の信号を送信するのに用いられるカバレッジ拡張技術との予め設定された対応関係は、特徴パラメータが特徴パラメータ閾値以下であるとき、ＵＥは第１の信号を送信するために第１のカバレッジ拡張技術を用い、特徴パラメータが特徴パラメータ閾値よりも大きいとき、ＵＥは第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０２３４】
特徴パラメータと送信がサポートされる第２の信号との予め設定された対応関係は、特徴パラメータが特徴パラメータ閾値以下であるとき、ＵＥは信号集合１のうちの第２の信号の送信をサポートし、特徴パラメータが特徴パラメータ閾値よりも大きいとき、ＵＥは信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０２３５】
特徴パラメータと第３の信号のサポートされる機能との予め設定された対応関係は、特徴パラメータが特徴パラメータ閾値以下であるとき、ＵＥは、第３の信号の第１の機能集合のうちの機能を使用することをサポートし、特徴パラメータが特徴パラメータ閾値よりも大きいとき、ＵＥは、第３の信号の第２の機能集合のうちの機能を使用することをサポートすることであってよい。第１の機能集合のうちの機能と第２の機能集合のうちの機能とは完全に同じではない。
【０２３６】
更に、特徴パラメータと第１の信号を送信するのに用いられるカバレッジ拡張技術との予め設定された対応関係は、特徴パラメータが第１の特徴パラメータセットに属するとき、ＵＥは第１の信号を送信するために第１のカバレッジ拡張技術を用い、特徴パラメータが第２の特徴パラメータセットに属するとき、ＵＥは第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０２３７】
特徴パラメータと送信がサポートされる第２の信号との予め設定された対応関係は、特徴パラメータが第１の特徴パラメータセットに属するとき、ＵＥは信号集合１のうちの第２の信号の送信をサポートし、特徴パラメータが第２の特徴パラメータセットに属するとき、ＵＥは信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０２３８】
特徴パラメータと第３の信号のサポートされる機能との予め設定された対応関係は、特徴パラメータが第１の特徴パラメータセットに属するとき、ＵＥは、第３の信号の第１の機能集合のうちの機能をサポートし、特徴パラメータが第２の特徴パラメータセットに属するとき、ＵＥは、第３の信号の第２の機能集合のうちの機能を使用することをサポートすることであってもよい。第１の機能集合のうちの機能と第２の機能集合のうちの機能とは完全に同じではない。
【０２３９】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【０２４０】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、ＵＥが信号集合２の信号の伝送をサポートする場合、ＵＥが信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、のうち１以上のタイプを含む。
【０２４１】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は、第１の機能集合よりも少ない。
【０２４２】
ＵＥの特徴パラメータを決定した後、ＵＥは、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
ＵＥは、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
ＵＥは、特徴パラメータと第３の信号のサポートされる機能との予め設定された対応関係に従って、ＵＥの特徴パラメータに対応する第３の信号のサポートされる機能を決定する。
【０２４３】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【０２４４】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【０２４５】
以下、ＵＥの特徴パラメータがカバレッジ拡張値である例を用いて、ＵＥがＵＥの特徴パラメータと予め設定された対応関係とに従って、ＵＥが第１の信号を送信するのに用いるカバレッジ拡張技術を決定し、且つ／又は、ＵＥが送信をサポートする第２の信号を決定し、且つ／又は、ＵＥがサポートする第３の信号の機能を決定することを説明する。
【０２４６】
例えば、特徴パラメータと第１の信号の送信に用いられるカバレッジ拡張技術との予め設定された対応関係（予め基地局又はシステムによって特定される）は、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられることである。ここで、Ｘ及び／又はＹは予め定められる特徴閾値である。
【０２４７】
ＵＥがＵＥのカバレッジ拡張値がＸｄＢである（又は０ｄＢよりも大きくＸｄＢ以下である）と決定した場合、ＵＥは、特徴パラメータと第１の信号の送信に用いられるカバレッジ拡張技術との対応関係に従って、第１のカバレッジ拡張技術が第１の信号の送信に用いられると決定する。ＵＥがＵＥのカバレッジ拡張値がＹｄＢである（又はＸｄＢよりも大きい、又はＸｄＢよりも大きくＹｄＢ以下である）と決定した場合、ＵＥは、特徴パラメータと第１の信号の送信に用いられるカバレッジ拡張技術との対応関係に従って、第２のカバレッジ拡張技術が第１の信号の送信に用いられると決定する。
【０２４８】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【０２４９】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）を用い、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、ＵＥ１は、ＵＥ１のカバレッジ拡張値が５ｄＢ未満であると決定し、したがってＵＥ１は、ＰＵＣＣＨにおいてＰＵＣＣＨカバレッジ拡張の実行に緩和要件（及び／又は周波数ホッピング）が用いられると決定する。ＵＥ２のカバレッジ拡張値が８ｄＢである場合、すなわち、ＵＥ２がＵＥ２のカバレッジ拡張値が５ｄＢよりも大きく１０ｄＢ未満である（５ｄＢよりも大きい）と決定した場合、ＵＥ２は、ＰＵＣＣＨにおいてＰＵＣＣＨカバレッジ拡張の実行に緩和要件（及び／又は周波数ホッピング）及び再伝送が用いられると決定する。
【０２５０】
具体的には、別の例として、第１の信号は物理ブロードキャストチャネルＰＢＣＨであり、基地局又はシステムは、予め以下のように定める。すなわち、カバレッジ拡張値がＣｄＢであるとき、ＰＢＣＨカバレッジ拡張にキープトライングが用いられ、カバレッジ拡張値がＤｄＢであるとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。ＵＥ１がＵＥ１のカバレッジ拡張値が１０ｄＢであると決定した場合、ＵＥ１は、ＰＢＣＨにおいてＰＢＣＨカバレッジ拡張の実行にキープトライングが用いられると決定し、ＵＥ１はＰＢＣＨを検出するためにＰＢＣＨ検出を試し続ける。ＵＥ１がＵＥ１のカバレッジ拡張値が１５ｄＢであると決定した場合、ＵＥ１は、ＰＢＣＨにおいてＰＢＣＨカバレッジ拡張の実行にキープトライング及び再伝送が用いられると決定し、ＵＥ１はＰＢＣＨを検出するためにＰＢＣＨ検出の繰り返しを試し続ける。
【０２５１】
例えば、特徴パラメータと伝送がサポートされる第２の信号との予め設定された対応関係（予め基地局又はシステムによって特定される）は、カバレッジ拡張値がＸｄＢである（又は０ｄＢよりも大きくＸｄＢ以下である）とき、ＵＥは信号集合１のうちの第２の信号の送信をサポートし、カバレッジ拡張値がＹｄＢである（又はＸｄＢよりも大きい、又はＸｄＢよりも大きくＹｄＢ以下である）とき、ＵＥは信号集合２のうちの第２の信号の送信をサポートすることである。ここで、Ｘ及び／又はＹは予め定められる特徴閾値である。
【０２５２】
ＵＥがＵＥのカバレッジ拡張値がＸｄＢである（又は０ｄＢよりも大きくＸｄＢ以下である）と決定した場合、ＵＥは、特徴パラメータと伝送がサポートされる第２の信号との対応関係に従って、信号集合１中の第２の信号の伝送がサポートされると決定する。ＵＥがＵＥのカバレッジ拡張値がＹｄＢである（又はＸｄＢよりも大きい、又はＸｄＢよりも大きくＹｄＢ以下である）と決定した場合、ＵＥは、特徴パラメータと伝送がサポートされる第２の信号との対応関係に従って、信号集合２中の第２の信号の伝送がサポートされると決定する。
【０２５３】
より具体的には、例えば、伝送信号集合１の第２の信号はＰＢＣＨ及び物理ハイブリッド自動再送要求指示チャネルＰＨＩＣＨであり、信号集合２の第２の信号はＰＢＣＨである。基地局又はシステムは、予め以下のように定める。カバレッジ拡張値が０ｄＢよりも大きくＸｄＢ以下であるとき、伝送信号集合１の第２の信号の伝送がサポートされ、カバレッジ拡張値がＸｄＢよりも大きくＹｄＢ以下である（又はＸｄＢよりも大きい）とき、信号集合２の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、ＵＥ１は、ＵＥ１のカバレッジ拡張値が５ｄＢ未満であると決定し、したがってＵＥ１は、ＰＢＣＨ及びＰＨＩＣＨがサポート可能であると決定する。ＵＥ２のカバレッジ拡張値が８ｄＢである場合、すなわち、ＵＥ２がＵＥ２のカバレッジ拡張値が５ｄＢよりも大きく１０ｄＢ未満であると決定した場合、ＵＥ２はＰＢＣＨがサポートされると決定する。すなわち、ＵＥ２はＰＨＩＣＨがサポートされないと決定する。
【０２５４】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、ＵＥ１はＵＥ１のカバレッジ拡張値が５ｄＢ未満であると決定し、したがってＵＥ１は、ＰＵＣＣＨ（又はＰＨＩＣＨ）がサポート可能であると決定する。ＵＥ１のカバレッジ拡張値が８ｄＢである場合、ＵＥ１はＵＥ１のカバレッジ拡張値が５ｄＢよりも大きく１０ｄＢ未満である（又は５ｄＢよりも大きい）と決定し、ＵＥ１は信号集合１の信号の伝送がサポートされないと決定する。すなわち、ＵＥ１はＰＵＣＣＨ（又はＰＨＩＣＨ）がサポートされないと決定する。
【０２５５】
例えば、特徴パラメータと第３の信号のサポートされる機能との予め設定された対応関係（予め基地局又はシステムによって特定される）は、カバレッジ拡張値がＸｄＢである（又は０ｄＢよりも大きくＸｄＢ以下である）とき、ＵＥは、第３の信号の第１の機能集合のうちの機能をサポートし、カバレッジ拡張値がＹｄＢである（又はＸｄＢよりも大きい、又はＸｄＢよりも大きくＹｄＢ以下である）とき、ＵＥは、第３の信号の第２の機能集合の機能をサポートすることである。ここで、Ｘ及び／又はＹは予め定められる特徴閾値である。
【０２５６】
ＵＥがＵＥのカバレッジ拡張値がＸｄＢである（又は０ｄＢよりも大きくＸｄＢ以下である）と決定した場合、ＵＥは、特徴パラメータと第３の信号のサポートされる機能との対応関係に従って、第３の信号の第１の機能集合中の機能がサポートされると決定する。ＵＥがＵＥのカバレッジ拡張値がＹｄＢである（又はＸｄＢよりも大きい、又はＸｄＢよりも大きくＹｄＢ以下である）と決定した場合、ＵＥは、特徴パラメータと第３の信号のサポートされる機能との対応関係に従って、第３の信号の第２の機能集合中の機能がサポートされると決定する。
【０２５７】
より具体的には、例えば、第３の信号はＰＵＣＣＨである。基地局又はシステムは、予め以下のように定める。すなわち、ＰＵＣＣＨの第１の機能集合の機能がチャネル品質情報を報告する機能と、スケジューリング要求機能と、信号が正確に受信されたかを示すアクノレッジメントをフィードバックする機能とを含み、ＰＵＣＣＨの第２の機能集合の機能がスケジューリング要求機能と、信号が正確に受信されたかを示すアクノレッジメントをフィードバックする機能とを含む。更に、基地局又はシステムは、予め以下のように定める。カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、すなわち、ＵＥ１がＵＥ１のカバレッジ拡張値が５ｄＢ未満であると決定した場合、ＵＥ１は、ＰＵＣＣＨのチャネル品質情報を報告する機能と、スケジューリング要求機能と、信号が正確に受信されたかを示すアクノレッジメントをフィードバックする機能とがサポートされると決定する。ＵＥ１のカバレッジ拡張値が８ｄＢである場合、すなわち、ＵＥ１がＵＥ１のカバレッジ拡張値が５ｄＢよりも大きく１０ｄＢ未満である（又は５ｄＢよりも大きい）と決定した場合、ＵＥ１は、ＰＵＣＣＨのスケジューリング要求機能と、信号が正確に受信されたかを示すアクノレッジメントをフィードバックする機能とをサポートすることを決定する。
【０２５８】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報  （通信品質、チャネル品質又はサービス特徴を反映する）である場合も、本実施形態の実施は、上述の説明に従って同様に行われてよく、ここでは詳細の説明を省略する。
【０２５９】
本実施形態において、「伝送」は送信又は受信を指す。本実施形態において、「伝送する」は送信すること又は受信することを指す。
【０２６０】
本実施形態では、ＵＥの現在の特徴パラメータと予め設定された対応関係とに従って、ＵＥは、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、異なる特徴パラメータに適応することができる。結果として、システムのリソース利用を最適化し、処理の複雑さを低減し、電力消費を低減することができる。
【０２６１】
以下、本発明によって提供される信号伝送方法の別の実施形態を説明する。図６を参照すると、本方法は図２又は図４によって提供される基地局に適用可能である。本実施形態の信号伝送方法は以下を含む。
【０２６２】
６０１：基地局が、ＵＥの特徴パラメータを決定する。
【０２６３】
本実施形態のＵＥは、基地局と通信するＵＥを指す。本実施形態では、ＵＥの特徴パラメータは、ＵＥの通信品質を測定するのに用いられる値若しくは情報、及び／又は、ＵＥのチャネル品質を測定するのに用いられる値若しくは情報、及び／又は、ＵＥのサービス特徴を反映するのに用いられる情報を指す。
【０２６４】
具体的には、ＵＥの特徴パラメータは、リソース、リソースインデックス、レベル、レベルインデックス、拡張レベル、拡張レベルインデックス、繰り返しレベル、繰り返しレベルインデックス、繰り返し回数、繰り返し回数インデックス、カバレッジ拡張値、カバレッジ拡張範囲のインデックス、パスロス値、パスロス範囲のインデックス、参照信号受信電力値、参照信号受信電力範囲のインデックス、参照信号受信品質値、参照信号受信品質範囲のインデックス、チャネル品質情報値、チャネル品質情報範囲のインデックス、サービスタイプ、サービスタイプのインデックス、省電力要件、省電力要件のインデックス、遅延要件、遅延要件のインデックス、予め規定されたチャネルの検出回数、予め規定されたチャネルの検出回数のインデックス、モビリティ要件及びモビリティ要件のインデックス、のうち少なくとも１つを含んでよい。
【０２６５】
基地局は、ＵＥの特徴パラメータを示す受信されたシグナリングに従って、ＵＥの特徴パラメータを決定してよい。シグナリングは、ＵＥ又は別のネットワークエンティティにより基地局に送信されてよい。代替として、基地局は、アップリンク信号を正確に受信できるか否かに従って、ＵＥの特徴パラメータを決定する。例えば、基地局がＵＥにダウンリンク信号を送信し、基地局がＵＥによってフィードバックされた対応するアップリンク信号を正確に受信できた場合、基地局は、ＵＥの現在の特徴パラメータ（例えば、現在の通信品質を表す特徴パラメータ）を決定することができる。代替として、基地局は、受信されたアップリンク信号を測定することにより、ＵＥの特徴パラメータを決定する。代替として、基地局はＵＥの特徴パラメータを自律的に決定する。
【０２６６】
６０２：基地局が、ＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定する。
【０２６７】
本実施形態では、予め設定された対応関係は、予め設定された機能関係、予め設定された表関係又は予め設定された規定関係であってよい。予め設定された対応関係は、基地局によりシグナリングを用いて予め構成されてよく、或いは、システムにより標準プロトコルを用いて予め設定されてよい。
【０２６８】
予め設定された対応関係は、特徴パラメータと第１の信号の送信に用いられるカバレッジ拡張技術との予め設定された対応関係と、特徴パラメータと伝送がサポートされる第２の信号との予め設定された対応関係と、特徴パラメータと第３の信号のサポートされる機能との予め設定された対応関係とを指す。
【０２６９】
具体的には、特徴パラメータと第１の信号を送信するのに用いられるカバレッジ拡張技術との予め設定された対応関係は、特徴パラメータが特徴パラメータ閾値以下であるとき、基地局は第１の信号を送信するために第１のカバレッジ拡張技術を用い、特徴パラメータが特徴パラメータ閾値よりも大きいとき、基地局は第１の信号を送信するために第２のカバレッジ拡張技術を用いることであってよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０２７０】
特徴パラメータと送信がサポートされる第２の信号との予め設定された対応関係は、特徴パラメータが特徴パラメータ閾値以下であるとき、基地局は信号集合１のうちの第２の信号の送信をサポートし、特徴パラメータが特徴パラメータ閾値よりも大きいとき、基地局は信号集合２のうちの第２の信号の送信をサポートすることであってよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０２７１】
特徴パラメータと第３の信号のサポートされる機能との予め設定された対応関係は、特徴パラメータが特徴パラメータ閾値以下であるとき、基地局は、第３の信号の第１の機能集合のうちの機能を使用することをサポートし、特徴パラメータが特徴パラメータ閾値よりも大きいとき、基地局は、第３の信号の第２の機能集合のうちの機能を使用することをサポートすることであってよい。第１の機能集合のうちの機能と第２の機能集合のうちの機能とは完全に同じではない。
【０２７２】
更に、特徴パラメータと第１の信号を送信するのに用いられるカバレッジ拡張技術との予め設定された対応関係は、特徴パラメータが第１の特徴パラメータセットに属するとき、基地局は第１の信号を送信するために第１のカバレッジ拡張技術を用い、特徴パラメータが第２の特徴パラメータセットに属するとき、基地局は第１の信号を送信するために第２のカバレッジ拡張技術を用いることであってもよい。第１のカバレッジ拡張技術と第２のカバレッジ拡張技術は両方とも、信号伝送信頼性を改善するための技術である。両者の主な違いは、異なるカバレッジ拡張強度を実現できる点にある。
【０２７３】
特徴パラメータと送信がサポートされる第２の信号との予め設定された対応関係は、特徴パラメータが第１の特徴パラメータセットに属するとき、基地局は信号集合１のうちの第２の信号の送信をサポートし、特徴パラメータが第２の特徴パラメータセットに属するとき、基地局は信号集合２のうちの第２の信号の送信をサポートすることであってもよい。信号集合１のうちの第２の信号と信号集合２のうちの第２の信号は異なる。ここでの相違とは、信号集合１に含まれる第２の信号の種類と信号集合２に含まれる第２の信号の種類が異なるが、信号集合１に含まれる第２の信号の数は信号集合２に含まれる第２の信号の数と同じであっても異なってもよいことを指す。
【０２７４】
特徴パラメータと第３の信号のサポートされる機能との予め設定された対応関係は、特徴パラメータが第１の特徴パラメータセットに属するとき、基地局は、第３の信号の第１の機能集合のうちの機能をサポートし、特徴パラメータが第２の特徴パラメータセットに属するとき、基地局は、第３の信号の第２の機能集合のうちの機能を使用することをサポートすることであってもよい。第１の機能集合のうちの機能と第２の機能集合のうちの機能とは完全に同じではない。
【０２７５】
上述の特徴パラメータ閾値、信号集合１、信号集合２、第１の機能集合、第２の機能集合、第１の特徴パラメータセット及び第２の特徴パラメータセットは、基地局によりシグナリングを用いて予め構成されてよく、或いは、システムにより標準プロトコルを用いて予め設定されてよい。
【０２７６】
例えば、信号集合２に含まれる信号の種類は、信号集合１に含まれる信号の種類よりも少ない。信号集合１又は信号集合２は空集合であってよい。信号集合１の信号は、信号集合２の信号と完全に異なってよい。この場合、基地局が信号集合２の信号の伝送をサポートする場合、基地局が信号集合１の信号の伝送をサポートしないことを示す。信号集合１又は信号集合２は、以下の信号すなわち、物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、のうち１以上のタイプを含む。
【０２７７】
更に、第１の機能集合が含む機能の数は第２の機能集合よりも多い。具体的には、例えば、第３の信号はＰＵＣＣＨであり、第１の機能集合及び第２の機能集合は、チャネル品質情報を報告する機能と、スケジューリング要求機能と、信号が正確に受信されたかを示すアクノレッジメントをフィードバックする機能とのうち１以上を含むが、第２の機能集合が含む機能の数は、第１の機能集合よりも少ない。
【０２７８】
ＵＥの特徴パラメータを決定した後、基地局は、特徴パラメータと第１の信号を送信するのに用いられるカバレッジ拡張技術との予め設定された対応関係に従って、第１の信号を送信するのに用いられ且つＵＥの特徴パラメータに対応するカバレッジ拡張技術を決定してよい。且つ／又は、
基地局は、特徴パラメータと送信がサポートされる第２の信号との予め設定された対応関係に従って、ＵＥの特徴パラメータが対応する第２の信号を決定する。第２の信号の送信は特徴パラメータによってサポートされる。且つ／又は、
基地局は、特徴パラメータと第３の信号のサポートされる機能との予め設定された対応関係に従って、ＵＥの特徴パラメータに対応する第３の信号のサポートされる機能を決定する。
【０２７９】
ここで、第１の信号と第２の信号と第３の信号は同じであってよく、或いは異なってよい。すなわち、第１の信号と第２の信号は同じであっても異なってもよく、第１の信号と第３の信号は同じであっても異なってもよく、第２の信号と第３の信号は同じであっても異なってもよい。
【０２８０】
第１の信号、第２の信号又は第３の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む。
【０２８１】
以下、ＵＥの特徴パラメータがカバレッジ拡張値である例を用いて、基地局がＵＥの特徴パラメータと予め設定された対応関係とに従って、基地局が第１の信号を送信するのに用いるカバレッジ拡張技術を決定し、且つ／又は、基地局が送信をサポートする第２の信号を決定し、且つ／又は、基地局がサポートする第３の信号の機能を決定することを説明する。
【０２８２】
例えば、特徴パラメータと第１の信号の送信に用いられるカバレッジ拡張技術との予め設定された対応関係（予め基地局又はシステムによって特定される）は、カバレッジ拡張値がＸｄＢである（又は０ｄＢよりも大きくＸｄＢ以下である）とき、第１の信号の送信に第１のカバレッジ拡張技術が用いられ、カバレッジ拡張値がＹｄＢである（又はＸｄＢよりも大きい、又はＸｄＢよりも大きくＹｄＢ以下である）とき、第１の信号の送信に第２のカバレッジ拡張技術が用いられることである。ここで、Ｘ及び／又はＹは予め定められる特徴閾値である。
【０２８３】
基地局がＵＥのカバレッジ拡張値がＸｄＢである（又は０ｄＢよりも大きくＸｄＢ以下である）と決定した場合、基地局は、特徴パラメータと第１の信号の送信に用いられるカバレッジ拡張技術との対応関係に従って、ＵＥとの通信時に第１のカバレッジ拡張技術が第１の信号の送信に用いられると決定する。基地局がＵＥのカバレッジ拡張値がＹｄＢである（又はＸｄＢよりも大きい、又はＸｄＢよりも大きくＹｄＢ以下である）と決定した場合、基地局は、特徴パラメータと第１の信号の送信に用いられるカバレッジ拡張技術との対応関係に従って、ＵＥとの通信時に第２のカバレッジ拡張技術が第１の信号の送信に用いられると決定する。
【０２８４】
本実施形態では、第１のカバレッジ拡張技術及び第２のカバレッジ拡張技術は、再伝送、スペクトル拡散伝送、低ビットレート伝送、伝送時間間隔バンドル（TTI  bundling）伝送、パワーブースト（power  boosting）、パワースペクトル密度ブースト（PSD  boosting）、キープトライング（keep  trying）、緩和要件、周波数ホッピング及び最大尤度検出のうち１つ、又はこれらの技術のうち複数の組合わせであってよい。
【０２８５】
より具体的には、例えば、第１の信号は物理アップリンク制御チャネルＰＵＣＣＨであり、基地局又はシステムは、予め以下のように定める。すなわち、カバレッジ拡張値が０ｄＢよりも大きくＸｄＢ以下であるとき、ＰＵＣＣＨカバレッジ拡張の実行に緩和要件（及び／又は周波数ホッピング）が用いられ、カバレッジ拡張値がＸｄＢよりも大きくＹｄＢ以下である（又はＸｄＢよりも大きい）とき、ＰＵＣＣＨカバレッジ拡張の実行に緩和要件（及び／又は周波数ホッピング）及び再伝送が用いられる。ここで、Ｘ及び／又はＹは、予め定められる特徴パラメータ閾値である。例えば、予めＸ＝５及びＹ＝１０と定められる。基地局がＵＥ１のカバレッジ拡張値が３ｄＢであると決定した場合、基地局はＵＥ１のカバレッジ拡張値が５ｄＢ未満であると決定する。したがって基地局は、ＰＵＣＣＨにおいてＰＵＣＣＨカバレッジ拡張の実行に緩和要件（及び／又は周波数ホッピング）が用いられると決定し、基地局はこれに従って、この方式でＰＵＣＣＨを受信する。基地局がＵＥ２のカバレッジ拡張値が８ｄＢであると決定した場合、基地局はＵＥ２のカバレッジ拡張値が５ｄＢよりも大きく１０ｄＢ未満である（５ｄＢよりも大きい）と決定する。したがって基地局は、ＰＵＣＣＨにおいてＰＵＣＣＨカバレッジ拡張の実行に緩和要件（及び／又は周波数ホッピング）及び再伝送が用いられると決定し、基地局はこれに従って、この方式でＰＵＣＣＨを受信する。
【０２８６】
具体的には、別の例として、第１の信号は物理ブロードキャストチャネルＰＢＣＨであり、基地局又はシステムは、予め以下のように定める。すなわち、カバレッジ拡張値がＣｄＢよりも大きくないとき、ＰＢＣＨカバレッジ拡張にキープトライングが用いられ、カバレッジ拡張値がＤｄＢよりも大きくないとき、ＰＢＣＨカバレッジ拡張の実行にキープトライング及び再伝送が用いられる。ここで、Ｃ及び／又はＤは予め定められる特徴パラメータ閾値である。例えば、予めＣ＝１０及びＤ＝１５と定められる。基地局がＵＥ（１つのＵＥ又は複数のＵＥ）の現在のカバレッジ拡張値が１０ｄＢよりも大きくないと決定した場合、基地局は、ＰＢＣＨにおいてＰＢＣＨカバレッジ拡張の実行にキープトライングが用いられると決定する。基地局がＵＥ（１つのＵＥ又は複数のＵＥ）の現在のカバレッジ拡張値が１５ｄＢよりも大きくないと決定した場合、基地局は、ＰＢＣＨにおいてＰＢＣＨカバレッジ拡張の実行にキープトライング及び再伝送が用いられると決定する。
【０２８７】
例えば、特徴パラメータと伝送がサポートされる第２の信号との予め設定された対応関係（予め基地局又はシステムによって特定される）は、カバレッジ拡張値がＸｄＢである（又は０ｄＢよりも大きくＸｄＢ以下である）とき、基地局は信号集合１のうちの第２の信号の送信をサポートし、カバレッジ拡張値がＹｄＢである（又はＸｄＢよりも大きい、又はＸｄＢよりも大きくＹｄＢ以下である）とき、基地局は信号集合２のうちの第２の信号の送信をサポートすることである。ここで、Ｘ及び／又はＹは予め定められる特徴閾値である。
【０２８８】
基地局がＵＥのカバレッジ拡張値がＸｄＢである（又は０ｄＢよりも大きくＸｄＢ以下である）と決定した場合、基地局は、特徴パラメータと伝送がサポートされる第２の信号との対応関係に従って、ＵＥとの通信時に信号集合１中の第２の信号の伝送がサポートされると決定する。基地局がＵＥのカバレッジ拡張値がＹｄＢである（又はＸｄＢよりも大きい、又はＸｄＢよりも大きくＹｄＢ以下である）と決定した場合、基地局は、特徴パラメータと伝送がサポートされる第２の信号との対応関係に従って、ＵＥとの通信時に信号集合２中の第２の信号の伝送がサポートされると決定する。
【０２８９】
より具体的には、例えば、伝送信号集合１の第２の信号はＰＢＣＨ及び物理ハイブリッド自動再送要求指示チャネルＰＨＩＣＨであり、信号集合２の第２の信号はＰＢＣＨである。基地局又はシステムは、予め以下のように定める。すなわち、カバレッジ拡張値が０ｄＢよりも大きくＸｄＢ以下であるとき、伝送信号集合１の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。ＵＥ１のカバレッジ拡張値が３ｄＢである場合、基地局はＵＥ１のカバレッジ拡張値が５ｄＢ未満であると決定する。したがって、基地局は、ＵＥ１との通信時にＰＢＣＨ及びＰＨＩＣＨがサポート可能であると決定する。基地局がＵＥ２のカバレッジ拡張値が８ｄＢであると決定した場合、基地局は、ＵＥ２のカバレッジ拡張値が５ｄＢよりも大きく１０ｄＢ未満であると決定し、基地局は、ＵＥ２との通信時にＰＢＣＨがサポートされると決定する。すなわち、ＵＥ２との通信時にＰＨＩＣＨがサポートされないと決定される。
【０２９０】
具体的には、別の例として、伝送信号集合１の第２の信号はＰＵＣＣＨ（又はＰＨＩＣＨ）であり、伝送信号集合２の第２の信号はヌル信号であり、すなわち、伝送信号集合２はいかなる信号も含まない。基地局又はシステムは、予め以下のように定める。すなわち、カバレッジ拡張値が０ｄＢよりも大きくＸｄＢ以下であるとき、信号集合１中の第２の信号の伝送がサポートされ、カバレッジ拡張値がＸｄＢよりも大きくＹｄＢ以下である（又はＸｄＢよりも大きい）とき、信号集合２中の第２の信号の伝送がサポートされる。ここで、Ｘ及び／又はＹは、予め定められる特徴パラメータ閾値である。例えば、予めＸ＝５及びＹ＝１０と定められる。基地局がＵＥ１のカバレッジ拡張値が３ｄＢであると決定したばあ、基地局はＵＥ１のカバレッジ拡張値が５ｄＢ未満であると決定する。したがって基地局は、ＵＥ１との通信時にＰＵＣＣＨ（又はＰＨＩＣＨ）がサポート可能であると決定する。基地局がＵＥ１のカバレッジ拡張値が８ｄＢであると決定した場合、基地局はＵＥ１のカバレッジ拡張値が５ｄＢよりも大きく１０ｄＢ未満である（又は５ｄＢよりも大きい）であると決定する。基地局は、ＵＥ１との通信時に信号集合１の信号の伝送がサポートされない、すなわち、基地局とＵＥ１との通信時にＰＵＣＣＨ（又はＰＨＩＣＨ）がサポートされないと決定する。
【０２９１】
例えば、特徴パラメータと第３の信号のサポートされる機能との予め設定された対応関係（予め基地局又はシステムによって特定される）は、カバレッジ拡張値がＸｄＢである（又は０ｄＢよりも大きくＸｄＢ以下である）とき、基地局は、第３の信号の第１の機能集合のうちの機能をサポートし、カバレッジ拡張値がＹｄＢである（又はＸｄＢよりも大きい、又はＸｄＢよりも大きくＹｄＢ以下である）とき、基地局は、第３の信号の第２の機能中の機能をサポートすることである。ここで、Ｘ及び／又はＹは予め定められる特徴閾値である。
【０２９２】
基地局がＵＥのカバレッジ拡張値がＸｄＢである（又は０ｄＢよりも大きくＸｄＢ以下である）と決定した場合、基地局は、特徴パラメータと第３の信号のサポートされる機能との対応関係に従って、第３の信号の第１の機能集合中の機能がサポートされると決定する。基地局がＵＥのカバレッジ拡張値がＹｄＢである（又はＸｄＢよりも大きい、又はＸｄＢよりも大きくＹｄＢ以下である）と決定した場合、基地局は、特徴パラメータと第３の信号のサポートされる機能との対応関係に従って、第３の信号の第２の機能集合中の機能がサポートされると決定する。
【０２９３】
より具体的には、例えば、第３の信号はＰＵＣＣＨである。基地局又はシステムは、予め以下のように定める。すなわち、ＰＵＣＣＨの第１の機能集合の機能がチャネル品質情報を報告する機能と、スケジューリング要求機能と、信号が正確に受信されたかを示すアクノレッジメントをフィードバックする機能とを含み、ＰＵＣＣＨの第２の機能集合の機能がスケジューリング要求機能と、信号が正確に受信されたかを示すアクノレッジメントをフィードバックする機能とを含む。更に、基地局又はシステムは、予め以下のように定める。カバレッジ拡張値が０ｄＢよりも大きくＸｄＢ以下であるとき、第３の信号の第１の機能集合の機能がサポートされ、カバレッジ拡張値がＸｄＢよりも大きくＹｄＢ以下である（又はＸｄＢよりも大きい）とき、第３の信号の第２の機能集合の機能がサポートされる。ここで、Ｘ及び／又はＹは、予め定められる特徴パラメータ閾値である。例えば、予めＸ＝５及びＹ＝１０と定められる。基地局がＵＥ１のカバレッジ拡張値が３ｄＢであると決定した場合、基地局はＵＥ１のカバレッジ拡張値が５ｄＢ未満であると決定する。したがって基地局は、ＵＥ１との通信時に、ＰＵＣＣＨのチャネル品質情報を報告する機能と、スケジューリング要求機能と、信号が正確に受信されたかを示すアクノレッジメントをフィードバックする機能とがサポートされると決定する。基地局がＵＥ１のカバレッジ拡張値が８ｄＢであると決定した場合、基地局はＵＥ１のカバレッジ拡張値が５ｄＢよりも大きく１０ｄＢ未満である（又は５ｄＢよりも大きい）と決定し、基地局は、ＵＥ１との通信時に、ＰＵＣＣＨのスケジューリング要求機能と、信号が正確に受信されたかを示すアクノレッジメントをフィードバックする機能とがサポートされると決定する。
【０２９４】
留意すべきこととして、上記では、本実施形態の方法実施を、特徴パラメータがカバレッジ拡張値である例を用いて説明した。特徴パラメータがレベル、レベルインデックス、繰り返し回数、繰り返し回数インデックス、リソース、リソースインデックス、拡張レベル、拡張レベルインデックスその他の情報  （通信品質、チャネル品質又はサービス特徴を反映する）である場合も、本実施形態の実施は、上述の説明に従って同様に行われてよく、ここでは詳細の説明を省略する。
【０２９５】
本実施形態において、「伝送」は送信又は受信を指す。本実施形態において、「伝送する」は送信すること又は受信することを指す。
【０２９６】
本実施形態では、ＵＥの現在の特徴パラメータと予め設定された対応関係とに従って、基地局は、ＵＥと基地局との間の第１の信号の伝送に用いられるカバレッジ拡張技術を適応的に決定し、且つ／又は、ＵＥと基地局との間で伝送がサポートされる第２の信号を決定し、且つ／又は、第３の信号のサポートされる機能を決定することができ、よって、ＵＥの異なる特徴パラメータに適応することができる。結果として、システムのリソース利用を最適化し、処理の複雑さを低減し、電力消費を低減することができる。
【０２９７】
更に、留意すべきこととして、説明した装置の実施形態は単なる例示である。個別の部品として記載されたユニットは物理的に別個であってもなくてもよく、ユニットとして表示される部品は物理的な単位であってもなくてもよく、１つの位置に配置されても、複数のネットワークユニット上に分散されてもよい。ユニットの一部又は全部は、実施形態の解決策の目的を達成するために、実際のニーズに応じて選択されてよい。また、本発明によって提供される装置の実施形態の添付の図面において、ユニット間の接続関係は、ユニットが相互に通信接続を有することを示し、具体的には、１以上の通信バス又は信号ケーブルとして実現されてよい。当業者であれば、創意工夫なく、本発明の実施形態を理解し実施することができるであろう。
【０２９８】
上記実施方式の説明に基づいて、本発明は、必要な汎用ハードウェアに加えたソフトウェアによって、又は、特定用途向け集積回路、専用ＣＰＵ、専用メモリ、専用の部品等の専用のハードウェアによって実現されてよいことが、当業者であれば明らかに理解されるであろう。一般に、コンピュータプログラムによって実行することができる任意の機能は、対応するハードウェアを用いて容易に実現することができる。また、同じ機能を達成するために使用される特定のハードウェア構成は、様々な形態のものであってよく、例えば、アナログ回路、デジタル回路、専用回路等の形態であってよい。しかしながら、本発明に関しては、ほとんどの場合においてソフトウェアプログラムの実施がより良い実施方式である。このような理解に基づき、本発明の技術的解決策は本質的に、又は、従来技術に寄与する部分は、ソフトウェア製品の形態で実施することができる。コンピュータソフトウェア製品は可読記憶媒体に記憶され、例えば、コンピューターのフロッピーディスク、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク、光ディスク等に記憶され、また、本発明の実施形態に記載の方法を実行するようにコンピューター装置（パーソナルコンピューター、サーバー、ネットワーク機器、等であってよい）に指示するための複数の命令を含む。
【０２９９】
本発明の実施形態によって提供される信号伝送方法、ユーザーイクイップメント及び基地局を、上記に詳述した。当業者であれば、本発明の実施形態の考えに基づき、特定の実施方式及び適用範囲に対して変更を行うことができるであろう。したがって本明細書の内容は本発明を限定するものと解釈されないものとする。
【図１】
2018078640.tif 000003
【図２】
2018078640.tif 000004
【図３】
2018078640.tif 000005
【図４】
2018078640.tif 000006
【図５】
2018078640.tif 000007
【図６】
2018078640.tif 000008
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
装置の特徴パラメータを決定するように構成される第１の決定ユニットであって、前記装置の前記特徴パラメータは、拡張レベル、拡張レベルインデックス、カバレッジ拡張範囲のインデックス、及び参照信号受信電力範囲のインデックスのうち少なくとも１つを含む、第１の決定ユニットと、
第１の処理ユニットと、
を備える装置であって、
前記第１の処理ユニットは、前記特徴パラメータと送信がサポートされる第１の信号との予め設定された対応関係に従って、前記装置の前記特徴パラメータが対応する第１の信号を決定するように構成され、
前記特徴パラメータと送信がサポートされる第１の信号との前記予め設定された対応関係は、前記特徴パラメータが第１の特徴パラメータセットに属するとき、前記装置は信号集合１のうちの第１の信号の送信をサポートし、前記特徴パラメータが第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含み、
且つ／又は、
前記第１の処理ユニットは、前記特徴パラメータと第２の信号のサポートされる機能との予め設定された対応関係に従って、前記装置の前記特徴パラメータが対応する、前記第２の信号のサポートされる機能を決定するように構成される、
装置。
【請求項２】
前記第１の決定ユニットは、
前記装置の前記特徴パラメータを示す受信されたシグナリングに従って、前記装置の前記特徴パラメータを決定するように構成され、又は、ダウンリンク信号を正確に受信できるか否かに従って、前記装置の前記特徴パラメータを決定するように構成され、又は、受信されたダウンリンク信号を測定することにより、前記装置の前記特徴パラメータを決定するように構成され、又は、前記装置の前記特徴パラメータを自律的に決定するように構成される、
請求項１に記載の装置。
【請求項３】
前記予め設定された対応関係は、予め設定された機能関係、予め設定された表関係又は予め設定された規定関係であり、前記予め設定された対応関係は、基地局によりシグナリングを用いて予め構成されるか、又は、システムによって予め設定される、
請求項１又は２に記載の装置。
【請求項４】
特徴パラメータと前記第２の信号のサポートされる機能との前記予め設定された対応関係は、前記特徴パラメータが前記第１の特徴パラメータセットに属するとき、前記装置は、前記第２の信号の第１の機能集合のうちの機能をサポートし、前記特徴パラメータが前記第２の特徴パラメータセットに属するとき、前記装置は、前記第２の信号の第２の機能集合のうちの機能を使用することをサポートすることであり、前記第１の機能集合のうちの前記機能と前記第２の機能集合のうちの前記機能とは完全に同じではない、
請求項１乃至３のいずれか一項に記載の装置。
【請求項５】
前記第１の信号と前記第２の信号は、同じであるか又は異なる、
請求項１乃至４のいずれか一項に記載の装置。
【請求項６】
前記第１の信号又は前記第２の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項１乃至５のいずれか一項に記載の装置。
【請求項７】
前記特徴パラメータと前記ＰＵＣＣＨのサポートされる機能との前記予め設定された対応関係は、前記特徴パラメータが前記第１の特徴パラメータセットに属するとき、前記装置は、物理アップリンク制御チャネル（ＰＵＣＣＨ）の第１の機能集合のうちの機能をサポートし、前記特徴パラメータが前記第２の特徴パラメータセットに属するとき、前記装置は、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項１乃至６のいずれか一項に記載の装置。
【請求項８】
ユーザーイクイップメント（ＵＥ）の特徴パラメータを決定するように構成される第２の決定ユニットであって、前記ＵＥの前記特徴パラメータは、拡張レベル、拡張レベルインデックス、カバレッジ拡張範囲のインデックス、及び参照信号受信電力範囲のインデックスのうち少なくとも１つを含む、第２の決定ユニットと、
第２の処理ユニットと、
を備える基地局であって、
前記第２の処理ユニットは、前記特徴パラメータと送信がサポートされる第１の信号との予め設定された対応関係に従って、前記ＵＥの前記特徴パラメータが対応する第１の信号を決定するように構成され、
前記特徴パラメータと送信がサポートされる第１の信号との前記予め設定された対応関係は、前記特徴パラメータが第１の特徴パラメータセットに属するとき、前記基地局は信号集合１のうちの第１の信号の送信をサポートし、前記特徴パラメータが第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含み、
且つ／又は、
前記第２の処理ユニットは、前記特徴パラメータと第２の信号のサポートされる機能との予め設定された対応関係に従って、前記ＵＥの前記特徴パラメータが対応する、前記第２の信号のサポートされる機能を決定するように構成される、
基地局。
【請求項９】
前記第２の決定ユニットは、
前記ＵＥの前記特徴パラメータを示す受信されたシグナリングに従って、前記ＵＥの前記特徴パラメータを決定するように構成され、又は、アップリンク信号を正確に受信できるか否かに従って、前記ＵＥの前記特徴パラメータを決定するように構成され、又は、受信されたアップリンク信号を測定することにより、前記ＵＥの前記特徴パラメータを決定するように構成され、又は、前記ＵＥの前記特徴パラメータを自律的に決定することである、
請求項８に記載の基地局。
【請求項１０】
前記予め設定された対応関係は、予め設定された機能関係、予め設定された表関係又は予め設定された規定関係であり、前記予め設定された対応関係は、前記基地局によりシグナリングを用いて予め構成されるか、又は、システムによって予め設定される、
請求項８又は９に記載の基地局。
【請求項１１】
特徴パラメータと前記第２の信号のサポートされる機能との前記予め設定された対応関係は、前記特徴パラメータが前記第１の特徴パラメータセットに属するとき、前記基地局は、前記第２の信号の第１の機能集合のうちの機能をサポートし、前記特徴パラメータが前記第２の特徴パラメータセットに属するとき、前記基地局は、前記第２の信号の第２の機能集合のうちの機能を使用することをサポートすることであり、前記第１の機能集合のうちの前記機能と前記第２の機能集合のうちの前記機能とは完全に同じではない、
請求項８乃至１０のいずれか一項に記載の基地局。
【請求項１２】
前記第１の信号と前記第２の信号は、同じであるか又は異なる、
請求項８乃至１１のいずれか一項に記載の基地局。
【請求項１３】
前記第１の信号又は前記第２の信号は、
物理ダウンリンク制御チャネル、拡張物理ダウンリンク制御チャネル、物理ランダムアクセスチャネル、物理制御フォーマット指示チャネル、物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項８乃至１２のいずれか一項に記載の基地局。
【請求項１４】
前記特徴パラメータと前記ＰＵＣＣＨのサポートされる機能との前記予め設定された対応関係は、前記特徴パラメータが前記第１の特徴パラメータセットに属するとき、前記ＵＥは、物理アップリンク制御チャネル（ＰＵＣＣＨ）の第１の機能集合のうちの機能をサポートし、前記特徴パラメータが前記第２の特徴パラメータセットに属するとき、前記ＵＥは、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項８乃至１３のいずれか一項に記載の基地局。
【請求項１５】
装置が、該装置の特徴パラメータを決定するステップであって、前記装置の前記特徴パラメータは、拡張レベル、拡張レベルインデックス、カバレッジ拡張範囲のインデックス、及び参照信号受信電力範囲のインデックスのうち少なくとも１つを含む、ステップと、
前記装置が、前記特徴パラメータと送信がサポートされる第１の信号との予め設定された対応関係に従って、前記装置の前記特徴パラメータが対応する第１の信号を決定するステップであって、
前記特徴パラメータと送信がサポートされる第１の信号との前記予め設定された対応関係は、前記特徴パラメータが第１の特徴パラメータセットに属するとき、前記装置は信号集合１のうちの第１の信号の送信をサポートし、前記特徴パラメータが第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含む、ステップ、
及び／又は、
前記装置が、前記特徴パラメータと第２の信号のサポートされる機能との予め設定された対応関係に従って、前記装置の前記特徴パラメータが対応する、前記第２の信号のサポートされる機能を決定するステップと、
を含む信号伝送方法。
【請求項１６】
前記装置が前記装置の前記特徴パラメータを決定する方法は、
前記装置が、前記装置の前記特徴パラメータを示す受信されたシグナリングに従って、前記装置の前記特徴パラメータを決定すること、又は、前記装置が、ダウンリンク信号を正確に受信できるか否かに従って、前記装置の前記特徴パラメータを決定すること、又は、前記装置が、受信されたダウンリンク信号を測定することにより、前記装置の前記特徴パラメータを決定すること、又は、前記装置が、前記装置の前記特徴パラメータを自律的に決定することである、
請求項１５に記載の信号伝送方法。
【請求項１７】
前記予め設定された対応関係は、予め設定された機能関係、予め設定された表関係又は予め設定された規定関係であり、前記予め設定された対応関係は、基地局によりシグナリングを用いて予め構成されるか、又は、システムによって予め設定される、
請求項１５又は１６に記載の信号伝送方法。
【請求項１８】
特徴パラメータと送信がサポートされる第１の信号との前記予め設定された対応関係は、前記特徴パラメータが前記第１の特徴パラメータセットに属するとき、前記装置は信号集合１のうちの第１の信号の送信をサポートし、前記特徴パラメータが前記第２の特徴パラメータセットに属するとき、前記装置は信号集合２のうちの第１の信号の送信をサポートすることであり、前記信号集合１のうちの前記第１の信号と前記信号集合２のうちの前記第１の信号は異なり、
特徴パラメータと前記第２の信号のサポートされる機能との前記予め設定された対応関係は、前記特徴パラメータが前記第１の特徴パラメータセットに属するとき、前記装置は、前記第２の信号の第１の機能集合のうちの機能をサポートし、前記特徴パラメータが前記第２の特徴パラメータセットに属するとき、前記装置は、前記第２の信号の第２の機能集合のうちの機能を使用することをサポートすることであり、前記第１の機能集合のうちの前記機能と前記第２の機能集合のうちの前記機能とは完全に同じではない、
請求項１５乃至１７のいずれか一項に記載の信号伝送方法。
【請求項１９】
前記第１の信号と前記第２の信号は、同じであるか又は異なる、
請求項１５乃至１８のいずれか一項に記載の信号伝送方法。
【請求項２０】
前記第１の信号又は前記第２の信号は、
物理ダウンリンク制御チャネル、拡張物理ダウンリンク制御チャネル、物理ランダムアクセスチャネル、物理制御フォーマット指示チャネル物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つを含む、
請求項１５乃至１９のいずれか一項に記載の信号伝送方法。
【請求項２１】
前記特徴パラメータと前記ＰＵＣＣＨのサポートされる機能との前記予め設定された対応関係は、前記特徴パラメータが前記第１の特徴パラメータセットに属するとき、前記装置は、物理アップリンク制御チャネル（ＰＵＣＣＨ）の第１の機能集合のうちの機能をサポートし、前記特徴パラメータが前記第２の特徴パラメータセットに属するとき、前記装置は、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項１５乃至２０のいずれか一項に記載の信号伝送方法。
【請求項２２】
基地局が、ユーザーイクイップメント（ＵＥ）の特徴パラメータを決定するステップであって、前記ＵＥの前記特徴パラメータは、拡張レベル、拡張レベルインデックス、カバレッジ拡張範囲のインデックス、及び参照信号受信電力範囲のインデックスのうち少なくとも１つを含む、ステップと、
前記基地局が、前記特徴パラメータと送信がサポートされる第１の信号との予め設定された対応関係に従って、前記ＵＥの前記特徴パラメータが対応する第１の信号を決定するステップであって、
前記特徴パラメータと送信がサポートされる第１の信号との前記予め設定された対応関係は、前記特徴パラメータが第１の特徴パラメータセットに属するとき、前記基地局は信号集合１のうちの第１の信号の送信をサポートし、前記特徴パラメータが第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
前記信号集合１は、物理ランダムアクセスチャネル、物理アップリンク共有チャネル、物理アップリンク制御チャネル、復調参照信号及び専有参照信号のうち１つ以上のタイプの信号を含み、
前記信号集合２は、物理ランダムアクセスチャネル、物理アップリンク共有チャネル、物理アップリンク制御チャネル及び復調参照信号のうち１つ以上のタイプの信号を含む、ステップ、
且つ／又は、
前記基地局が、前記特徴パラメータと第２の信号のサポートされる機能との予め設定された対応関係に従って、前記ＵＥの前記特徴パラメータが対応する、前記第２の信号のサポートされる機能を決定するステップと、
を含む信号伝送方法。
【請求項２３】
前記基地局が前記ＵＥの前記特徴パラメータを決定する方法は、
前記基地局が、前記ＵＥの前記特徴パラメータを示す受信されたシグナリングに従って、前記ＵＥの前記特徴パラメータを決定すること、又は、前記基地局が、アップリンク信号を正確に受信できるか否かに従って、前記ＵＥの前記特徴パラメータを決定すること、又は、前記基地局が、受信されたアップリンク信号を測定することにより、前記ＵＥの前記特徴パラメータを決定すること、又は、前記基地局が、前記ＵＥの前記特徴パラメータを自律的に決定することである、
請求項２２に記載の信号伝送方法。
【請求項２４】
前記予め設定された対応関係は、予め設定された機能関係、予め設定された表関係又は予め設定された規定関係であり、前記予め設定された対応関係は、前記基地局によりシグナリングを用いて予め構成されるか、又は、システムによって予め設定される、
請求項２２又は２３に記載の信号伝送方法。
【請求項２５】
特徴パラメータと送信がサポートされる第１の信号との前記予め設定された対応関係は、前記特徴パラメータが前記第１の特徴パラメータセットに属するとき、前記基地局は信号集合１のうちの第１の信号の送信をサポートし、前記特徴パラメータが前記第２の特徴パラメータセットに属するとき、前記基地局は信号集合２のうちの第１の信号の送信をサポートすることであり、前記信号集合１のうちの前記第１の信号と前記信号集合２のうちの前記第１の信号は異なり、
特徴パラメータと前記第２の信号のサポートされる機能との前記予め設定された対応関係は、前記特徴パラメータが前記第１の特徴パラメータセットに属するとき、前記基地局は、前記第２の信号の第１の機能集合のうちの機能をサポートし、前記特徴パラメータが前記第２の特徴パラメータセットに属するとき、前記基地局は、前記第２の信号の第２の機能集合のうちの機能を使用することをサポートすることであり、前記第１の機能集合のうちの前記機能と前記第２の機能集合のうちの前記機能とは完全に同じではない、
請求項２２乃至２４のいずれか一項に記載の信号伝送方法。
【請求項２６】
前記第１の信号と前記第２の信号は、同じであるか又は異なる、
請求項２２乃至２５のいずれか一項に記載の信号伝送方法。
【請求項２７】
前記第１の信号又は前記第２の信号は、
物理ダウンリンク制御チャネル、拡張物理ダウンリンク制御チャネル、物理ランダムアクセスチャネル、物理制御フォーマット指示チャネル物理ハイブリッド自動再送要求指示チャネル、ユニキャスト物理ダウンリンク共有チャネル、ブロードキャスト又はマルチキャスト物理ダウンリンク共有チャネル、物理アップリンク共有チャネル、物理アップリンク制御チャネル、同期チャネル、物理ブロードキャストチャネル、公共参照信号、復調参照信号、専有参照信号、ランダムアクセス応答メッセージ、ランダムアクセス応答アクノレッジメントメッセージ、競合解決メッセージ、システム情報及びページングメッセージ、
のうち少なくとも１つである、
請求項２２乃至２６のいずれか一項に記載の信号伝送方法。
【請求項２８】
前記特徴パラメータと前記ＰＵＣＣＨのサポートされる機能との前記予め設定された対応関係は、前記特徴パラメータが前記第１の特徴パラメータセットに属するとき、前記ＵＥは、物理アップリンク制御チャネル（ＰＵＣＣＨ）の第１の機能集合のうちの機能をサポートし、前記特徴パラメータが前記第２の特徴パラメータセットに属するとき、前記ＵＥは、前記ＰＵＣＣＨの第２の機能集合のうちの機能を使用することをサポートすることであり、前記第１の機能集合のうちの前記機能と前記第２の機能集合のうちの前記機能とは完全に同じではなく、
前記ＰＵＣＣＨの前記第１の機能集合のうちの機能は、チャネル品質情報を報告する機能と、スケジューリング要求機能と、信号が正確に受信されたかを示すアクノレッジメントをフィードバックする機能とを含み、
ＰＵＣＣＨの前記第２の機能集合のうちの機能は、スケジューリング要求機能と、信号が正確に受信されたかを示すアクノレッジメントをフィードバックする機能とを含む、
請求項２２乃至２７のいずれか一項に記載の信号伝送方法。
【請求項２９】
プログラムが記録されたコンピューター可読記憶媒体であって、前記プログラムは、請求項１５乃至２８のいずれか一項に記載の方法をコンピューターに実行させる、コンピューター可読記憶媒体。
【請求項３０】
通信システムであって、
互いに通信する装置と基地局を備え、
前記装置は、請求項１５乃至２１のいずれか一項に記載の方法を実行し、前記基地局は、請求項２２乃至２８のいずれか一項に記載の方法を実行する、
通信システム。
【外国語明細書】
2018078640000001.pdf